(57)【特許請求の範囲】
【請求項１】
複数のネットワークノード間で干渉クォータ（ＩＱ）を分配するための制御ノード（１００）における方法であって、
互いに所定の距離内に位置する前記複数のネットワークノードからのグループとして定義される、ネットワークノードクラスタの数を識別する（Ｓ４１０）ことと、
クラスタクォータを提供するために、前記ＩＱをネットワークノードクラスタの前記数で分割する（Ｓ４２０）ことと、
識別された各ネットワークノードクラスタ内の各ネットワークノード間で前記クラスタクォータを分配する（Ｓ４３０）ことと、を含む方法。
【請求項２】
請求項１に記載の方法であって、
前記ＩＱは、優先アクセスライセンス（ＰＡＬ）チャネル及び一般認可アクセス（ＧＡＡ）チャネルの内の少なくとも１つの間で分配される、方法。
【請求項３】
請求項１又は２に記載の方法であって、さらに、
前記ＰＡＬチャネルに第１ＩＱを使用し、前記ＧＡＡチャネルに第２ＩＱを使用することを含む、方法。
【請求項４】
請求項１又は２に記載の方法であって、さらに、
少なくとも第１条件が満たされると、前記ＧＡＡチャネル及び前記ＰＡＬチャネルに共通のＩＱを使用することと、
少なくとも第２条件が満たされると、前記ＰＡＬチャネルに第１ＩＱを使用し、前記ＧＡＡチャネルに前記第１ＩＱとは異なる第２ＩＱを使用することと、を含む方法。
【請求項５】
請求項１又は２に記載の方法であって、さらに、
少なくとも１つのＧＡＡチャネルが少なくとも１つのＰＡＬチャネルに導入されたと判定した結果として、ＧＡＡチャネルの数がＰＡＬチャネルの数よりも大きい場合、前記ＰＡＬチャネルに第１ＩＱを使用し、前記ＧＡＡチャネルに第２ＩＱを使用することを含む、方法。
【請求項６】
請求項１又は２に記載の方法であって、さらに、
ＧＡＡチャネルの数がＰＡＬチャネルの数以下である場合、前記ＧＡＡチャネル及び前記ＰＡＬチャネルに共通のＩＱを使用することと、
ＧＡＡチャネルの数がＰＡＬチャネルの数より大きい場合、前記ＰＡＬチャネルに第１ＩＱを使用し、前記ＧＡＡチャネルに前記第１ＩＱとは異なる第２ＩＱを使用することと、を含む方法。
【請求項７】
請求項１から６のいずれか１項に記載の方法であって、前記制御ノード（１００）は、共存マネージャである、方法。
【請求項８】
請求項１から７のいずれか１項に記載の方法であって、
前記制御ノード（１００）は、スペクトラムアクセスシステム（ＳＡＳ）であり、前記ネットワークノードは市民ブロードバンド無線サービスデバイス（ＣＢＳＤ）である、方法。
【請求項９】
請求項１から８のいずれか１項に記載の方法であって、さらに、
前記ネットワークノードクラスタのそれぞれについて、ネットワークノードクォータを提供するために、前記クラスタクォータを前記ネットワークノードクラスタ内のネットワークノードの数で分割することを含む方法。
【請求項１０】
請求項１から９のいずれか１項に記載の方法であって、
識別された各ネットワークノードクラスタ内の各ネットワークノード間で前記クラスタクォータを分配することは、対応するネットワークノードクラスタ内の前記ネットワークノードに前記クラスタクォータを等しく分配することを含む、方法。
【請求項１１】
複数のネットワークノード間で干渉クォータ（ＩＱ）を分配する様に構成された制御ノード（１００）であって、前記制御ノード（１００）は処理回路（１１０）を備え、前記処理回路（１１０）は、
互いに所定の距離内に位置する前記複数のネットワークノードからのグループとして定義される、ネットワークノードクラスタの数を識別し、
クラスタクォータを提供するために、前記ＩＱをネットワークノードクラスタの前記数で分割し、
識別された各ネットワークノードクラスタ内の各ネットワークノード間で前記クラスタクォータを分配する用に構成される、制御ノード。
【請求項１２】
請求項１１に記載の制御ノード（１００）であって、
前記処理回路（１１０）は、優先アクセスライセンス（ＰＡＬ）チャネル及び一般認可アクセス（ＧＡＡ）チャネルの内の少なくとも１つの間で前記ＩＱを分配する様に構成される、制御ノード。
【請求項１３】
請求項１１又は１２に記載の制御ノード（１００）であって、
前記処理回路（１１０）は、前記ＰＡＬチャネルに第１ＩＱを使用し、前記ＧＡＡチャネルに第２ＩＱを使用する様に構成される、制御ノード。
【請求項１４】
請求項１１又は１２に記載の制御ノード（１００）であって、
前記処理回路（１１０）は、
少なくとも第１条件が満たされると、前記ＧＡＡチャネル及び前記ＰＡＬチャネルに共通のＩＱを使用し、
少なくとも第２条件が満たされると、前記ＰＡＬチャネルに第１ＩＱを使用し、前記ＧＡＡチャネルに前記第１ＩＱとは異なる第２ＩＱを使用する用に構成される、制御ノード。
【請求項１５】
請求項１１又は１２に記載の制御ノード（１００）であって、
前記処理回路（１１０）は、少なくとも１つのＧＡＡチャネルが少なくとも１つのＰＡＬチャネルに導入されたと判定した結果として、ＧＡＡチャネルの数がＰＡＬチャネルの数よりも大きい場合、前記ＰＡＬチャネルに第１ＩＱを使用し、前記ＧＡＡチャネルに第２ＩＱを使用する様に構成される、制御ノード。
【請求項１６】
請求項１１又は１２に記載の制御ノード（１００）であって、前記処理回路（１１０）は、
ＧＡＡチャネルの数がＰＡＬチャネルの数以下である場合、前記ＧＡＡチャネル及び前記ＰＡＬチャネルに共通のＩＱを使用し、
ＧＡＡチャネルの数がＰＡＬチャネルの数より大きい場合、前記ＰＡＬチャネルに第１ＩＱを使用し、前記ＧＡＡチャネルに前記第１ＩＱとは異なる第２ＩＱを使用する用に構成される、制御ノード。
【請求項１７】
請求項１１から１６のいずれか１項に記載の制御ノード（１００）であって、
前記制御ノード（１００）は、共存マネージャである、制御ノード。
【請求項１８】
請求項１１から１７のいずれか１項に記載の制御ノード（１００）であって、
前記制御ノード（１００）は、スペクトラムアクセスシステム（ＳＡＳ）であり、前記ネットワークノードは市民ブロードバンド無線サービスデバイス（ＣＢＳＤ）である、制御ノード。
【請求項１９】
請求項１１から１８のいずれか１項に記載の制御ノード（１００）であって、
前記処理回路（１１０）は、前記ネットワークノードクラスタそれぞれについて、ネットワークノードクォータを提供するために、前記クラスタクォータを前記ネットワークノードクラスタ内のネットワークノードの数で分割する様に構成される、制御ノード。
【請求項２０】
請求項１１から１９のいずれか１項に記載の制御ノード（１００）であって、
識別された各ネットワークノードクラスタ内の各ネットワークノード間で前記クラスタクォータを分配することは、対応するネットワークノードクラスタ内の前記ネットワークノードに前記クラスタクォータを等しく分配することを含む、制御ノード。
【請求項２１】
複数のネットワークノード間で干渉クォータ（ＩＱ）を分配する様に構成された制御ノード（１００）であって、前記制御ノード（１００）は、
互いに所定の距離内に位置する複数のネットワークノードからのグループとして定義される、ネットワークノードクラスタの数を識別する様に構成されるクラスタ識別モジュール（２１０）と、
クラスタクォータを提供するために、前記ＩＱをネットワークノードクラスタの前記数で分割する様に構成されるクラスタクウォータ分配モジュール（２２０）と、
識別された各ネットワークノードクラスタ内の各ネットワークノード間で前記クラスタクォータを分配する用に構成されるネットワークインタフェースモジュール（２３０）と、を備えている制御ノード。
【発明の詳細な説明】
【技術分野】
【０００１】
無線通信、特に干渉割り当ての方法及び装置に関する。
【背景技術】
【０００２】
モバイルセルラーネットワークの進歩とモバイルデバイスの人気は、ユーザスループットの絶え間ない成長と相まって、少なくとも１つのリソース（スペクトラム）に対する大きな需要を生み出している。
【０００３】
スペクトラム管理には、以下の３つの主要なアプローチがある。
・専用スペクトラムを使用する特権に対して多額の料金を支払うオペレータにスペクトラムをライセンス。
・公正なスペクトラムアクセスを保証することを目的とする事前定義されたルールセットを使用して、デバイスが同じスペクトラムを共有する、アンライセンススペクトラムの使用。
・使用時間又はモバイルオペレータと既存ユーザとの間の地理的制約に基づいて、通常は使用権の分割を提案する、例えば、ライセンス共有アクセス（ＬＳＡ）又は許可共有アクセス（ＡＳＡ）等の共有スペクトラムの使用。
【発明の概要】
【発明が解決しようとする課題】
【０００４】
本開示の実施形態は、共有スペクトラム手法を提案する少なくとも３番目の（最後の）アプローチに関する。３番目のシナリオの一般的な使用法は、一部のマーケットにおいて、ライセンスされたユーザが利用できる帯域の使用を可能にすることであるが、レーダや衛星システム等の既存ユーザのためには、制限することである。既存システムは、配置エリア周辺において保護され得るが、モバイルインフラストラクチャの承認は、モバイルシステムから既存システムへの干渉の合計が、ノイズの上昇又はパフォーマンスの低下の許容できるレベルに制限される様に許可され得る。ＬＳＡにおいて、モバイルオペレータは許可又は認可された領域で運用するためのライセンスを取得しており、ＡＳＡに対する合理的な規制アプローチである。
【０００５】
２．３ＧＨｚ帯域でのライセンス共有アクセス（ＬＳＡ）の導入により、既存の、つまり例えば、フランスの地上レーダ局と、ロングタームエボリューション（ＬＴＥ）とのバイナリ共有が、ＬＳＡレポジトリとして知られるスペクトラムリポジトリの助けを得て可能になる。その様な規制は、市場における国際電気通信連合（ＩＴＵ）の国際移動通信（ＩＭＴ）バンドとして指定されたスペクトラムのロックを解除して、３ＧＰＰでバンド指定、つまりバンド４０を提供することを目的としている。
【０００６】
米国（ＵＳＡ）における、例えば国防総省等の既存ユーザが現在占有している３．５ＧＨｚ帯域での新しい市民ブロードバンド無線サービス（ＣＢＲＳ）の創設により、ワイヤレスイノベーションの増加する要求を満たすために必要な容量が増加する。ＣＢＲＳは、ＡＳＡのスペクトラムへのより積極的な適用を表しており、そこでは、既存ユーザと共有される長期の地理的ライセンスに加え、複数のオペレータが、地理的に近接して共存することもあり得る。
【０００７】
３．５ＧＨｚ帯域での共有は、３つのティア（層）のユーザ間で行われ、上位のティアは低い優先度として扱われる。スペクトラムへのアクセスは、地理的データベースとポリシ管理機能を実装するスペクトラムアクセスシステム（ＳＡＳ）によって管理され、ＳＡＳは、既存ユーザの保護と、階層型アクセスフレームワークを実現するために使用される。既存ユーザは、このフレームワークの最も高い層であり、市民ブロードバンド無線サービスユーザからの干渉保護を受ける。保護される既存ユーザは、上記の連邦政府及び固定衛星サービス（ＦＳＳ）が含まれ、有限期間において、帯域の３６５０−３７００ＭＨｚ部分での地上無線の運用に関する条件の適用が免れる。市民ブロードバンド無線サービス自体には、優先アクセス（ＰＡ）と一般認可アクセス（ＧＡＡ）の２つのティアが含まれ、どちらもＳＡＳによって任意の場所及び周波数で認証される。名前が示す様に、優先アクセスオペレーションは、ＧＡＡオペレーションから保護される。３年間、単一区域で１０メガヘルツチャネルの使用の許可として定義された優先アクセスライセンス（ＰＡＬ）には、帯域の３５５０〜３６５０ＭＨｚ部分の最大７０メガヘルツが割り当てられる。ＧＡＡの使用は、原則として、１５０メガヘルツの帯域全体で許可される。ＧＡＡユーザは、他の市民ブロードバンド無線サービスユーザからの干渉保護を受けない。帯域はスモールセル配置用に設計されているが、ルールには広域マクロ配置も計画するのに十分な機能がある。
【０００８】
図１は、３．５ＧＨｚ市民ブロードバンド無線サービスのスペクトラム構造を示している。市民ブロードバンド無線サービスデバイス（ＣＢＳＤ）は、まずＳＡＳに登録し、他の登録パラメータと共にその位置情報を提供し、続いて、特定チャネルでのアクセスを許可する様にＳＡＳに要求する。ＳＡＳは、アクセスを許可する前に、環境検知能力（ＥＳＣ）ネットワークからの情報を使用して、ＣＢＳＤが動作している地域の既存ユーザの活動を検出する。ＳＡＳはまた、同じエリアの他のＣＢＳＤからの測定レポートを使用して、特定チャネルの干渉レベルを判定し、ＰＡＬユーザアクティビティによりチャネルを保護する必要があるかどうかを判定する。国際公開第２０１６／１９５７５号明細書（ＩＮＴＥＬ  ＣＯＲＰ［米国］）は、スペクトラムアクセスシステム（ＳＡＳ）コントローラ及び共用スペクトラムでの通信方法を論じている。ＫＩＭ  ＣＨＡＮＧ  ＷＯＯＫ  ＥＴ  ＡＬ："Ｄｅｓｉｇｎ  ａｎｄ  ｉｍｐｌｅｍｅｎｔａｔｉｏｎ  ｏｆ  ａｎ  ｅｎｄ−ｔｏ−ｅｎｄ  ａｒｃｈｉｔｅｃｔｕｒｅ  ｆｏｒ  ３．５  ＧＨｚ  ｓｈａｒｅｄ  ｓｐｅｃｔｒｕｍ，"２０１５  ＩＥＥＥ  ＩＮＴＥＲＮＡＴＩＯＮＡＬ  ＳＹＭＰＯＳＩＵＭ  ＯＮ  ＤＹＮＡＭＩＣ  ＳＰＥＣＴＲＵＭ  ＡＣＣＥＳＳ  ＮＥＴＷＯＲＫＳ  （ＤＹＳＰＡＮ），ＩＥＥＥ，２０１５年９月２９日（２０１５−０９−２９），２３−３４頁，ＸＰ０３２８２２６７７，ＸＰ０３２８２２６７７，ＤＯＩ：１０．１１０９／ＤＹＳＰＡＮ．２０１５．７３４３８４７は、３．５ＧＨｚ共有スペクトラムのエンド・トゥ・エンド構造のデザイン及び実装について論じている。
【課題を解決するための手段】
【０００９】
幾つかの実施形態は、干渉割り振り、特に、ネットワークノードクラスタの識別に基づく干渉クォータの分配のための方法及び装置を有利に提供する。
【００１０】
本開示の他の実施形態は、少なくとも以下の問題に対する解決策を提供し得る。アンライセンスチャネルでの共存は、従来、例えば、ＷｉＦｉで使用されるリッスンビフォアトーク（ＬＢＴ）アルゴリズム等のキャリア検知技術を使用した分散アルゴリズムで管理されている。
【００１１】
本開示の特定の態様及びそれらの実施形態は、これら又は他の問題に対する解決策を提供し得る。
【００１２】
本開示の実施形態は、技術的に中立な新しい共存アルゴリズムを提供し、これは、ＣＢＲＳ帯域の中央のスペクトラムアクセスシステム（ＳＡＳ）において特に有利である。
【００１３】
例えば、本開示の実施形態は、ＣＢＲＳスペクトラムの共存管理方法を提案する。この方法は、中央のスペクトラムアクセスシステム（ＳＡＳ）に実装でき、"一般認可アクセス（ＧＡＡ）"の利用が可能なスペクトラムへのアクセスに適用され得る。
【００１４】
幾つかの実施形態において、ＣＢＳＤは、チャネルでの送信を開始する前にＳＡＳから許可を取得し得る。許可は、ＧＡＡチャネルでも取得し得る。サービス提供ＳＡＳは、ＣＢＳＤ許可要求を受信し、許可を要求しているＣＢＳＤによって提供されるサービスが、同じエリアの他のＣＢＳＤの動作に当該ＣＢＳＤが与える影響／干渉よりも高い価値を提供するかどうかを評価し得る。
【００１５】
ＳＡＳは、ＧＡＡユーザによる干渉から既存ユーザ及びＰＡＬユーザを保護する権限をすでに有する。この様に、本開示における実施形態のいくつかは、ＳＡＳがＧＡＡユーザ間の影響を仲裁することを可能にし得る。
【００１６】
幾つかの実施形態によると、ＣＢＳＤがエンドユーザデバイス（ＥＵＤ）に提供する価値を示すために、ユーザ値（ＵＶ）関数が導入される。ＵＶ関数は、ＣＢＳＤの送信が許可される前後のＣＢＳＤのカバレッジエリアの平均ユーザ値を評価するために使用され得る。一実施形態において、ＣＢＳＤを導入することのプラスの効果がマイナスの影響を上回る場合にのみ、ＣＢＳＤグラントが承認される。
【００１７】
幾つかの実施形態によると、ＳＡＳは、ネットワークノード間の干渉を緩和するために幾つかの方法をさらに使用する。
【００１８】
以下において、用語"オプション"は、本開示の特定の提案された態様の総てではないが、幾つかの実施形態に存在し得る特徴（例えば、ステップ又は構造）を特徴付けるために使用される。
【００１９】
第１態様において、制御ノード（例えば、ＳＡＳ）における方法が提供される。第１態様による方法の実施形態は、
ステップＡ：ネットワークノードから、共有スペクトラム内のリソースの許可の要求を受信することと、
ステップＢ：要求に応答して、ネットワークノードへのリソースの許可に基づき干渉値を判定することと、
ステップＣ：干渉値が閾値を満たしていると判定することに応答して、ネットワークノードにリソースを許可することと、
のステップを含み得る。
【００２０】
他の態様によると、回路を含む制御ノードが提供される。回路は、１つ以上のプロセッサ及びメモリを含み得る。制御ノードは、様々な態様に従って、本明細書で開示される方法の実施形態によるステップを実行する様に動作可能であり得る。
【００２１】
さらなる態様によると、様々な態様による、本明細書で開示される方法の実施形態によるステップの命令を処理及び／又は記憶する様に構成されたコンピュータプログラムとコンピュータ可読媒体も提供される。
【００２２】
本開示の態様の特定の実施形態は、各デバイスによって使用されている技術とは無関係に、利用可能なＧＡＡスペクトラムをＣＢＳＤデバイス間で共有することを可能にすることを含む、１つ以上の技術的利点を提供し得る。
【００２３】
本開示の一態様によると、複数のネットワークノード間で干渉クォータ（ＩＱ）を分配するための制御ノードにおける方法が提供される。この方法は、互いに所定の距離内に位置する複数のネットワークノードからのグループとして定義される、ネットワークノードクラスタの数を識別することと、クラスタクォータを提供するためにＩＱをネットワークノードクラスタの数に分割することと、識別された各ネットワークノードクラスタ内の各ネットワークノード間でクラスタクォータを分配することと、を含む。
【００２４】
幾つかの実施形態においてこの態様によると、ＩＱは、優先アクセスライセンス（ＰＡＬ）チャネル及び一般認可アクセス（ＧＡＡ）チャネルの内の少なくとも１つの間で分配される。幾つかの実施形態において、この方法は、ＰＡＬチャネルに第１ＩＱを使用し、ＧＡＡチャネルに第２ＩＱを使用することを含む。幾つかの実施形態において、この方法は、少なくとも第１条件が満たされた場合、ＧＡＡチャネル及びＰＡＬチャネルに共通のＩＱを使用し、少なくとも第２条件が満たされた場合、ＰＡＬチャネルに第１ＩＱを使用し、ＧＡＡチャネルに第１ＩＱとは異なる第２ＩＱを使用することと、を含む。幾つかの実施形態において、方法は、少なくとも１つのＧＡＡチャネルが少なくとも１つのＰＡＬチャネルに導入されたと判定した結果として、ＧＡＡチャネルの数がＰＡＬチャネルの数よりも大きい場合、ＰＡＬチャネルに第１ＩＱを使用し、ＧＡＡチャネルに第２ＩＱを使用することを含む。幾つかの実施形態において、方法は、ＧＡＡチャネルの数がＰＡＬチャネルの数以下である場合、ＧＡＡチャネル及びＰＡＬチャネルに共通のＩＱを使用し、ＧＡＡチャネルの数がＰＡＬチャネルの数より大きい場合、ＰＡＬチャネルに第１ＩＱを使用し、ＧＡＡチャネルに第１ＩＱとは異なる第２ＩＱを使用することと、を含む。幾つかの実施形態において、制御ノードは共存マネージャである。幾つかの実施形態において、制御ノードはスペクトラムアクセスシステム（ＳＡＳ）であり、ネットワークノードは市民ブロードバンド無線サービスデバイス（ＣＢＳＤ）である。幾つかの実施形態において、方法は、ネットワークノードクラスタそれぞれについて、ネットワークノードクォータを提供するために、クラスタクォータをネットワークノードクラスタ内のネットワークノードの数で分割することを含む。幾つかの実施形態において、識別された各ネットワークノードクラスタ内の各ネットワークノード間でクラスタクォータを分配することは、対応するネットワークノードクラスタ内のネットワークノードにクラスタクォータを等しく分配することを含む。
【００２５】
本開示の別の態様によると、複数のネットワークノード間で干渉クォータ（ＩＱ）を分配する用に構成された制御ノードが提供される。制御ノードは、互いに所定の距離内に位置する複数のネットワークノードからのグループとして定義される、ネットワークノードクラスタの数を識別し、クラスタクォータを提供するためにＩＱをネットワークノードクラスタの数に分割し、識別された各ネットワークノードクラスタ内の各ネットワークノード間でクラスタクォータを分配する様に構成された処理回路を含む。
【００２６】
幾つかの実施形態においてこの態様によると、処理回路は、優先アクセスライセンス（ＰＡＬ）チャネル及び一般認可アクセス（ＧＡＡ）チャネルの内の少なくとも１つの間でＩＱを分配する様に構成される。幾つかの実施形態において、処理回路は、ＰＡＬチャネルに第１ＩＱを使用し、ＧＡＡチャネルに第２ＩＱを使用する様に構成される。幾つかの実施形態において、処理回路は、少なくとも第１条件が満たされた場合、ＧＡＡチャネル及びＰＡＬチャネルに共通のＩＱを使用し、少なくとも第２条件が満たされた場合、ＰＡＬチャネルに第１ＩＱを使用し、ＧＡＡチャネルに第１ＩＱとは異なる第２ＩＱを使用する様に構成される。幾つかの実施形態において、処理回路は、少なくとも１つのＧＡＡチャネルが少なくとも１つのＰＡＬチャネルに導入されたと判定した結果として、ＧＡＡチャネルの数がＰＡＬチャネルの数よりも大きい場合、ＰＡＬチャネルに第１ＩＱを使用し、ＧＡＡチャネルに第２ＩＱを使用する様に構成される。幾つかの実施形態において、処理回路は、ＧＡＡチャネルの数がＰＡＬチャネルの数以下である場合、ＧＡＡチャネル及びＰＡＬチャネルに共通のＩＱを使用し、ＧＡＡチャネルの数がＰＡＬチャネルの数より大きい場合、ＰＡＬチャネルに第１ＩＱを使用し、ＧＡＡチャネルに第１ＩＱとは異なる第２ＩＱを使用する様に構成される。幾つかの実施形態において、制御ノードは共存マネージャである。幾つかの実施形態において、制御ノードはスペクトラムアクセスシステム（ＳＡＳ）であり、ネットワークノードは市民ブロードバンド無線サービスデバイス（ＣＢＳＤ）である。幾つかの実施形態において、処理回路は、ネットワークノードクラスタそれぞれについて、ネットワークノードクォータを提供するために、クラスタクォータをネットワークノードクラスタ内のネットワークノードの数に分割する様に構成される。幾つかの実施形態において、識別された各ネットワークノードクラスタ内の各ネットワークノード間でクラスタクォータを分配することは、対応するネットワークノードクラスタ内のネットワークノードにクラスタクォータを等しく分配することを含む。
【００２７】
本開示のさらに別の態様によると、複数のネットワークノード間で干渉クォータ（ＩＱ）を分配する用に構成された制御ノードが提供される。制御ノードは、互いに所定の距離内に位置する複数のネットワークノードからのグループとして定義される、ネットワークノードクラスタの数を識別する様に構成されたクラスタ識別モジュールと、クラスタクォータを提供するためにＩＱをネットワークノードクラスタの数に分割する様に構成されたクラスタクウォータ分配モジュールと、識別された各ネットワークノードクラスタ内の各ネットワークノード間でクラスタクォータを分配する様に構成されたネットワークインタフェースモジュールと、を含む。
【００２８】
本明細書に開示される実施形態の任意の特徴は、必要に応じて、他の実施形態に適用され得ることに留意されたい。同様に、実施形態の任意の利点は、他の実施形態に適用することができ、逆もまた同様である。ある実施形態は、上述した利点を有さず、或いは、上述した利点の幾つかを有し得る。他の利点は、当業者には明らかであろう。本実施形態の他の目的、特徴、及び、利点は、以下の説明から明らかになるであろう。
【００２９】
一般的に、本開示で使用される総ての用語は、明示的に定義しない限り、本技術分野の通常の意味に従い解釈される。要素、装置、部品、手段、ステップ等への言及は、明示的に述べられない限り、オープン的に、要素、装置、部品、手段、ステップ等の少なくとも１つを参照しているものと解釈される。本開示の任意の方法のステップは、明示的に述べられない限り、開示されているものと正確に同じ順序で実行される必要はない。
【００３０】
本実施形態と、それに付随する利点及び特徴のより完全な理解は、以下の詳細な説明を参照し、添付の図面と併せて考慮することによってより容易に理解されるであろう。
【図面の簡単な説明】
【００３１】
【図１】３．５ＧＨｚ市民ブロードバンド無線サービスのスペクトラム構造を示す図。
【図２】本開示の例示的な実施形態によるＳＡＳアーキテクチャを示す図。
【図３】公平性バランスの概念を示す図。
【図４】本開示の一実施形態による制御ノードを示す図。
【図５】本開示の他の実施形態による制御ノードを示す図。
【図６】本開示の他の実施形態による制御ノードを示す図。
【図７】本開示の一実施形態による幾つかのユースケースを示すユースケースマップ。
【図８】本開示の他の実施形態による制御ノードでの方法のフローチャート。
【図９】本開示の一実施形態によるエンドユーザデバイス評価グリッドを示す図。
【図１０】本開示の一実施形態による同じネットワークに属するＣＢＳＤａ及びＣＢＳＤｂを示す図。
【図１１】本開示の一実施形態による影響を受けたＣＢＳＤのプールを示す図。
【図１２】本開示の一実施形態による制御ノードでの方法のフローチャート。
【図１３】本開示の実施形態による、クラスタ間（又は干渉間調整グループ（ＩＣＧ）間）とクラスタ内（又はＩＣＧ内）干渉の概略図。
【発明を実施するための形態】
【００３２】
例示的な実施形態を詳細に説明する前に、実施形態は、主に、干渉割り当てに関連する装置構成要素と処理ステップとの組み合わせにあることに留意されたい。従って、構成要素は、図面における従来の記号により、本開示の実施形態を理解することに関連する特定の詳細のみを示し、本開示の利点を有する技術分野の当業者には容易に明らかとなる程度の詳細で本開示を曖昧にしない様に記載される。
【００３３】
本明細書で使用されるとき、"第１"、"第２"、"上部"及び"下部"等の関係用語は、その様なエンティティ又は要素間の物理的又は論理的な関係や順序を暗示・必要とすることなく、あるエンティティ又は要素を別のエンティティ又は要素から区別するためにのみ使用される。
【００３４】
本開示の範囲を当業者に十分に伝えるために、図面を参照して様々な特徴及び実施形態を説明する。多くの態様は、アクション又は機能のシーケンスの観点から説明される。一部の実施形態では、一部の機能又はアクションは、専用回路、１つ以上のプロセッサによって実行されるプログラム命令、又は、両方の組み合わせによって実行できることを認識されたい。
【００３５】
さらに、幾つかの実施形態は、プロセッサに本明細書に記載の技術を実行させるコンピュータ命令の適切なセットを含むコンピュータ可読キャリア又は搬送波の形で部分的又は完全に実施することができる。
【００３６】
幾つかの代替実施形態において、機能／アクションは、アクションのシーケンスに記載された順序以外で発生する場合がある。さらに、一部の図では、一部のブロック、機能又はアクションはオプションであり、実行される場合と実行されない場合があり、必ずではないが、一般的に、それらは破線で示される。
【００３７】
本開示の実施形態は、共有スペクトラムアプローチを提案する少なくとも３番目の（最後の）アプローチに関する。例示的なＳＡＳアーキテクチャが、３．５ＧＨｚ帯域について図２に示されている。ＳＡＳは、ＣＢＲＳスペクトラムの使用の調整、承認、管理、干渉からの上位層動作の保護、及び、全ＣＢＲＳオペレータの周波数容量の最大化のための中央エンティティ又はシステムと見なされ得る。幾つかの実施形態において、ＳＡＳは、制御ノードと呼ばれ得る。ＳＡＳ管理者は、登録及び周波数調整サービスの料金をＣＢＲＳオペレータに請求することが許可され得る。相互に接続されたＳＡＳ１やＳＡＳ２等、１つ以上のＳＡＳが存在する場合があり得る。
【００３８】
図２に示す様に、例えば、ＳＡＳ１は、ＦＣＣデータベース、既存ユーザ検出のための環境検知機能（ＥＳＣ）システム、既存ユーザ情報システム、ドメインプロキシ、及び、ＣＢＳＤ（例えば、ＣＢＳＤ４）にも接続される。ドメインプロキシは、オプションでエレメント管理システム（ＥＭＳ）に接続され得る。ＥＭＳは、ＣＢＳＤ１、ＣＢＳＤ２、ＣＢＳＤ３等の複数のＣＢＳＤに接続され得る。各ＣＢＳＤドメインは、オプションで、幾つかのセンシング機能システム（ＣＢＳＤセンシング等）を含めることができる。
【００３９】
現在、ＦＣＣでは、特定の標準化された機能を備えた伝送機器を３．５ＧＨｚ帯域で使用することをＣＢＲＳオペレータに要求している。この機器は、市民ブロードバンド無線サービスデバイス（"ＣＢＳＤ"）と呼ばれている。ＣＢＳＤは、通常、ＬＴＥ発展型ユニバーサル地上無線アクセスネットワーク（Ｅ−ＵＴＲＡＮ）ノードＢ（発展型ノードＢ、拡張ノードＢ、ｅノードＢ、ｅＮＢとも呼ばれる）等の固定基地局／アクセスポイントである。ＣＢＳＤには、カテゴリＡ（低電力ＣＢＳＤ）及びカテゴリＢ（高電力ＣＢＳＤ）の２つのタイプがある。一部の実施形態において、ＣＢＳＤは、中央のスペクトラムアクセスシステムの権限と管理下でのみ動作できる。
【００４０】
ＣＢＲＳエンドユーザデバイスは、認可されたＣＢＳＤによって制御され得る。エンドユーザーデバイス（ＥＵＤ）は、ＣＢＳＤから情報を受信及び復号する機能を有し得る。ユーザは、１つ以上のＣＢＳＤを介して通信ネットワークにアクセスでき、ＣＢＳＤがＳＡＳから許可を得た場合、共有帯域内のリソースを使用し得る。
【００４１】
ＳＡＳの機能の幾つかは、以下のものを含み得る。
・その場所で許容されるチャネル又は周波数を決定してＣＢＳＤに提供する。
・その場所で許容される最大送信電力を決定してＣＢＳＤに提供する。
・ＥＳＣと通信して、連邦の既存ユーザの送信に関する情報を取得し、ＣＢＳＤに別の周波数範囲に移動するか、送信を停止するよう指示する。
・ＣＢＳＤが地理的エリアで動作し、連邦の既存ユーザを有害な干渉から保護するために要求される最大電力レベル内で動作することを確実にする。
・ＣＢＳＤの識別情報と場所を登録及び認証する。
・ＣＢＳＤが非連邦の既存ユーザを有害な干渉から保護することを確実にする。
・優先アクセスライセンスを、他のＰＡＬ及び一般認可アクセスユーザによる干渉から保護する。
・カテゴリＢ  ＣＢＳＤで動作するＧＡＡユーザ間の調整を促進する。
・合理的に可能な限り安定した無線周波数環境を維持しながら、帯域利用の競合を解決する。
・ＳＡＳとＣＢＳＤとの間の情報の安全で信頼性のある伝送を確保する。
・無線ブロードバンドライセンスの既得権を保護する。
・市民ブロードバンド無線サービスに関連する現在及び将来の国際契約の条件を実行する。
【００４２】
ＥＳＣは、沿岸地域及び内陸の軍事基地の近くで既存レーダ活動を監視する場合があり得る。例えば、連邦政府のレーダシステムで使用されていない周波数でＣＢＲＳユーザが海岸線近くで動作できる様にするために、ＥＳＣはＳＡＳと組み合わせてスペクトラム検知技術を使用できる。既存ユーザのアクティビティが検出されると、ＥＳＣはその情報を、例えばＳＡＳ１に伝達し得る。ＳＡＳは、例えば、検出された既存レーダとの干渉を避けるために、６０秒以内にローカルデバイスを再構成し得る。
【００４３】
ＦＣＣデータベースは、商用ユーザとそれに対応するライセンスに関連する情報（例えば、サイトベースのライセンス情報）を有する。ＳＡＳ１及びＳＡＳ２は、ＦＣＣデータベースと直接インタフェースして、ＳＡＳ動作に使用される情報にアクセスし得る。
【００４４】
ドメインプロキシは、管理仲介者と見做される。ドメインプロキシの機能は、例えば、以下のものを含み得る。
・１つ以上の使用可能なチャネルのセットを受け入れ、特定のＣＢＳＤが使用するチャネルを選択する、或いは、ＣＢＳＤチャネル選択のために使用可能なチャネルをキャリアＥＭＳに渡す。
・オプションで、ＥＭＳはドメインプロキシと同じ場所に配置できる。
・オプションで、ＥＭＳ経由で受信したＳＡＳに選択したチャンネルを報告する。
・ＳＡＳからのチャネル割り当ての確認を受信する。
・キャリアＥＭＳが存在する場合、オプションで、双方向のバルクＣＢＳＤ登録及びディレクティブ処理を実行する。
・双方向の情報処理とルーティングを実行する。
・干渉レポート等の他のアクティビティを実行する。
【００４５】
異なる技術を使用してデバイスとネットワーク間でスペクトラムリソースを共有する場合、提起される最も重要な質問の１つは公平性に関するものである。１つのデバイスのみがエリアでサービスを提供する場合、そのデバイスは利用可能な総てのスペクトラムを使用できる。しかしながら、同じエリアに複数のデバイスが存在する場合、時間領域又は周波数領域のいずれかでデバイス間又はデバイスのクラスタ間でスペクトラムリソースを分割する、或いは、基地局デバイスとそのエンドユーザデバイス間の信号品質を、他の承認された基地局デバイスとそれぞれのエンドユーザクライアント又は加入者によって提供される総干渉よりも十分に高くするための方法が必要になる。
【００４６】
公平性の評価には、次の様に要約された幾つかのメトリックを使用できる。
【００４７】
割り当てられたスペクトラム帯域幅：
各デバイスは、同量のスペクトラムリソースにアクセスする。
デバイスの各ネットワークは、同量のスペクトラムリソースにアクセスする。
【００４８】
提供されるカバレッジ：
調整されたネットワークノードの各デバイス又はグループは、提供されたカバレッジに比例したスペクトラムリソースにアクセスする。
【００４９】
ＣＢＳＤ又はＥＵＤの密度：
調整されたネットワークノードの各デバイス又はグループは、所定エリアのＣＢＳＤ及び／又はＥＵＤ密度に比例したスペクトラムリソースにアクセスする。幾つかの場合、このメトリックは、エンタプライズ型配置の３次元ボリュームに適合させることもできる。
各デバイスには、例えば、ＣＢＲＳ内で承認されたカテゴリＢのＣＢＳＤの場合は４７ｄＢｍ／１０ＭＨｚといった、帯域内の制限範囲内において、個々のノードのカバレッジエリアに比例した、デバイスの最大実効等方放射電力（ＥＩＲＰ）の帯域幅が提供される。
【００５０】
単位面積あたりの許可数に比例：
各デバイス又はデバイスの調整されたグループには、サービングＳＡＳ又は共存マネージャ（ＣｘＭ）が承認する単位面積あたりの許可の数に比例したスペクトラムリソースへのアクセスが提供される。
【００５１】
サービス提供されるＥＵＤの数：
各デバイスは、サービス提供されるエンドユーザデバイス（ＥＵＤ）の数に比例したスペクトラムリソースにアクセスする。
【００５２】
スペクトラム効率：
スペクトラム効率の高いデバイスは、より多くのスペクトラムにアクセスする。これにより、スペクトラムリソースの利用効率が向上する。
【００５３】
アプリケーションレベルのグッドプット：
各デバイスは、提供された良好なアプリケーションスループットに比例したスペクトラムリソースにアクセスする。
【００５４】
他の帯域内／帯域外ユーザに対して生成される干渉：
スペクトラム効率の低いデバイスは、より多くのスペクトラム量にアクセスする。
【００５５】
共存グループによって生成される他の共存グループへの干渉：
スペクトラムリソースは、共存グループ内の総てのＥＵＤ及び／又はネットワークノードによって生成される最大集約干渉に基づいて、特定の共存グループに割り当てられ、これは、他の共存グループのデバイス及び／又はネットワークノードでみられ、影響を与える。
【００５６】
スペクトラム共有アルゴリズムを決定するもう１つの要因は、ネットワーク内に組み込まれているデバイスの動作である。例えば、ＬＴＥは、同じネットワークに属するデバイスに、モビリティに使用される共通チャネルを要求する場合がある。
【００５７】
纏めると、"全体利益"へのデバイスの寄与と、同じエリアで動作している他のデバイスに対してデバイスが与える影響との間で、公平性のバランスをとることができる。例えば、図３は、本開示の一実施形態による公平性のバランスの概念を示している。
【００５８】
図４は、共有スペクトラムにおける無線通信を可能にするために使用され得る、例えばＳＡＳ１等の例示的な制御ノード１００のブロック図である。制御ノード１００は、処理回路１１０と、ネットワークインタフェース１２０と、を含む。回路１１０は、１つ以上の（ノード）プロセッサ１３０及びメモリ１４０を含み得る。幾つかの実施形態において、１つ以上のプロセッサ１３０は、例えば、図８及び／又は図１２のフローチャートを参照して説明される方法等、本明細書で説明される方法を実行する。メモリ１４０は、１つ以上のプロセッサ１３０による実行のための命令を格納し、ネットワークインタフェース１２０は、ＦＣＣデータベース、ＣＢＳＤ、ＥＳＣ、ドメインプロキシ等の他の要素に信号を伝達する。
【００５９】
１つ以上のプロセッサ１３０は、命令を実行する１つ以上のモジュールで実装されるハードウェア及びソフトウェアの任意の適切な組み合わせを含み、開示されるＳＡＳの記述される機能の幾つか又は総てを実行するためにデータを操作する。幾つかの実施形態において、１つ以上のプロセッサ１３０は、例えば、１つ以上のコンピュータ、１つ以上の中央処理装置（ＣＰＵ）、１つ以上のマイクロプロセッサ、１つ以上のアプリケーション、１つ以上の特定用途向け集積回路（ＡＳＩＣ）、１つ以上のフィールドプログラマブルゲートアレイ（ＦＰＧＡ）及び／又はその他のロジックを含み得る。特定の実施形態において、１つ以上のプロセッサ１３０は、図５及び／又は図６に関して以下に説明するモジュールのうちの１つ以上を含み得る。
【００６０】
メモリ１４０は、一般的に、１つ以上のロジック、ルール、アルゴリズム、コード、テーブル等、及び／又は、１つ以上のプロセッサ１３０により実行され得る他の命令を含む、コンピュータプログラム、ソフトウェア、アプリケーションの様な命令を格納する様に動作する。メモリ１４０の例は、コンピュータメモリ（例えば、ランダムアクセスメモリ（ＲＡＭ）又はリードオンリーメモリ（ＲＯＭ））、マス記憶媒体（例えば、ハードディスクドライブ）、リムーバブル記憶媒体（例えば、コンパクトディスク（ＣＤ）又はデジタルビデオディスク（ＤＶＤ））、及び／又は、情報を格納する、任意の他の揮発性若しくは不揮発性、非一時的なコンピュータ可読及び／又はコンピュータ実行可能メモリデバイスを含む。
【００６１】
幾つかの実施形態において、ネットワークインタフェース１２０は、１つ以上のプロセッサ１３０と通信可能に結合され、制御ノード１００への入力を受信し、制御ノード１００からの出力を送信し、入力、出力若しくは入出力の適切な処理を実行し、他のデバイスと通信し、或いは、それらの任意の組み合わせを行う動作が可能な任意の適切なデバイスを参照する。ネットワークインタフェース１２０は、ネットワークを介して通信するための、適切なハードウェア（例えば、ポート、モデム、ネットワークインタフェースカード等）と、プロトコル変換及びデータ処理能力を含むソフトウェアと、を含み得る。
【００６２】
制御ノード１００の他の実施形態は、本明細書に記載の機能及び／又は追加機能（本開示の解決策をサポートするのに必要な機能を含む）の任意のものを含むＳＡＳの機能の特定の側面を提供する図４に示すコンポーネント以外の追加のコンポーネントを含み得る。
【００６３】
図４に関して説明されたものと同様のプロセッサ、インタフェース、及びメモリは、他のネットワークノードに含まれ得る。他のネットワークノードは、オプションで、無線インタフェースを含む場合と含まない場合があり得る。本明細書で説明する機能は、同じノード内に存在するか、複数のノード及びネットワークノードに分散され得る。
【００６４】
一実施形態において、制御ノード１００はＳＡＳであり、ネットワークノードはＣＢＳＤである。
【００６５】
別の実施形態において、制御ノード１００は、複数のネットワークノード間で初期干渉クォータ（ＩＱ）を分配する様に構成される。制御ノード１００は、メモリ１４０及びプロセッサ１３０を含む処理回路１１０を備え、メモリ１４０はプロセッサ１３０と通信する。メモリ１４０は、プロセッサ１３０によって実行されると、ネットワークノードクラスタの数を識別し、初期ＩＱをネットワークノードクラスタの数に分割してクラスタクォータを提供する様にプロセッサ１３０を構成する命令を有し、ネットワークノードクラスタは、互いに所定の距離内に位置する複数のネットワークノードからのグループとして定義される。制御ノード１００は、識別された各ネットワークノードクラスタ内の各ネットワークノード間で前記クラスタクォータを分配する用に構成されるネットワークインタフェース１２０も含む。
【００６６】
一実施形態において、初期ＩＱは、ＰＡＬチャネルとＧＡＡチャネルに分配される。
【００６７】
一実施形態において、制御ノード１００のプロセッサ１３０は、ＧＡＡチャネルの数がＰＡＬチャネルの数以下である場合、ＧＡＡチャネル及びＰＡＬチャネルに共通のＩＱを使用し、ＧＡＡチャネルの数がＰＡＬチャネルの数より大きい場合、ＰＡＬチャネルに第１ＩＱ（ＩＱＰＡＬ）を使用し、ＧＡＡチャネルに第２ＩＱ（ＩＱＧＡＡ）を使用する様に構成され、ＩＱＰＡＬはＩＱＧＡＡとは異なる。
【００６８】
図５は、別の実施形態による、制御ノード１００の別の例を示している。制御ノード１００は、例えばＳＡＳであり得る。制御ノード１００は、受信モジュール２１０、判定モジュール２２０、及び、許可モジュール２３０を含み得る。
【００６９】
特定の実施形態において、受信モジュール２１０は、図１２を参照して本明細書で説明されるステップを含むステップの組み合わせを実行し得る。
【００７０】
判定モジュール２２０は、図１２を参照して本明細書で説明されるステップを含むステップの組み合わせを実行し得る。
【００７１】
特定の実施形態において、許可モジュール２３０は、図１２を参照して本明細書で説明されるステップを含むステップの組み合わせを実行し得る。
【００７２】
特定の実施形態において、受信モジュール２１０、判定モジュール２２０、及び、許可モジュール２３０は、図４に関して説明した様な１つ以上のプロセッサを使用して実装することができる。モジュールは、説明した機能を実行するのに適した方法で統合又は分離することができる。
【００７３】
図６を参照すると、代替の制御ノード１００が示されている。一実施形態において、制御ノード１００はＳＡＳであり、ネットワークノードはＣＢＳＤである。一実施形態において、制御ノード１００は、複数のネットワークノード間で初期干渉クォータ（ＩＱ）を分配する様に構成される。制御ノード１００は、互いに所定の距離内に位置する複数のネットワークノードからのグループとして定義される、ネットワークノードクラスタの数を識別する様に構成されたクラスタ識別モジュール３１０と、クラスタクォータを提供するために初期ＩＱをネットワークノードクラスタの数に分割する様に構成されたクラスタクウォータ分配モジュール３２０と、識別された各ネットワークノードクラスタ内の各ネットワークノード間でクラスタクォータを分配する様に構成されたネットワークインタフェースモジュール３３０と、を含む。他の実施形態において、図６に示される制御ノードは、図４に関して説明された様な１つ以上のプロセッサを使用して実装され得る。
【００７４】
幾つかの実施形態によると、図４〜６の制御ノード１００及びＣＢＳＤの仮想化された実装が可能であることに留意されたい。本明細書で使用される"仮想化"ネットワークノード又は制御ノード（例えば、仮想化基地局又は仮想化無線アクセスノード又はＳＡＳ）は、ネットワークノード又は制御ノードの機能の少なくとも一部が、（例えば、ネットワーク内の物理処理ノードで実行される仮想マシン又はコンテナを介して）仮想コンポーネントとして実現される、ネットワークノード又は制御ノードの実装である。従って、幾つかの実施形態において、制御ノード１００の（上述した）機能は、クラウドコンピューティングシステムにおいて分散させることができる。
【００７５】
本開示の一態様は、干渉バジェットの１／Ｎ（Ｎは、ＣＢＳＤの数を表す）の割り当てが、特定のシナリオ、例えば、インドアＣＢＳＤの密集したクラスタが導入されるシナリオにおいて、ＰＡＬ  ＣＢＳＤに重大な影響を与えるユースケースを記述する。言い換えると、１／ＮはＣＢＳＤの数に比例するスペクトラムの割り当てを指し、幾つかのシナリオにおいてはＰＡＬ  ＣＢＳＤに影響を与える可能性がある。本開示のこの態様の実施形態は、ＰＡＬ保護に焦点を合わせ得る。
【００７６】
例えば、ランダムに選択されたＰＡＬチャネル、例えばｃｈ３（１０ＭＨｚ幅）３５７０ＭＨｚ−３５８０ＭＨｚを使用できる。図７は、例示的なユースケースマップを表し、以下で説明する様々なユースケースを示すために使用される。図７を参照すると、以下の様に幾つかの調査トラック（ＣＴ）がある。
・ＣＴ１：ｃｈ３には利用可能なＰＡＬライセンスがない。
・ＣＴ２：オペレータＡ（ＯｐＡ）はｃｈ３のＰＡＬライセンスを有し、ＰＡＬ保護エリア（ＰＰＡ）を定義している。
・ＣＴ３-オペレータＣ（ＯｐＣ）はｃｈ３のＰＡＬライセンスを有する。
・ＣＴｎ-オペレータＢ（ＯｐＢ）はｃｈ３のＰＡＬライセンスを有する。
【００７７】
例示的な実施形態における他のユースケースの仮定は以下を含み得る。
・６階建ての建物、１階当たり、１０のカテゴリＡ（"ＣａｔＡ"）ＣＢＳＤ＝建物当たり６０ＣＢＳＤ。
・３０ｄＢの壁貫通損失。
・使用される幾つかのパス損失（ＰＬ）：
・自由空間ＰＬ
・デュアルスロープＰＬ
・アーバンＰＬ
・不規則地形モデル（ＩＴＭ）エリアモード、５０％信頼レベル
【００７８】
例示的なユースケースのために本明細書で使用される値は、例示を目的とするものであり、必ずしも典型的なシナリオを示すことを意図するものではないことに留意されたい。
【００７９】
第１ユースケース（自由空間ＰＬ）
＞ステップ１
＞ＯｐＢはＣＴｎのｃｈ３において１つのＰＡＬ許可を有し、ＰＢ＝４７ｄＢｍＥＩＲＰで送信する。
＞ステップ２
＞ＯｐＡはＣＴ２にマイクロセルを配置し、ＰＰＡを定義する。
＞ＰＰＡを保護するための干渉クォータはＩＱＮ＝１＝−８０ｄＢｍである。
＞ＤＢ−Ａ＝３０ｋｍ
＞ＯｐＢからＯｐＡのＰＰＡへの干渉はＩＢ−＞Ａ（４７ｄＢｍ，３０ｋｍ）＝−８６．０５ｄＢｍである。
＞ＯｐＢのＣＢＳＤは４７ｄＢｍで送信し続けることができる。
＞ステップ３
＞ＯｐＣは、ＣＴ３の２つの建物内に、ＣＢＳＤあたりＰＣ＝１７ｄＢｍ  ＥＩＲＰの１２０個のＣａｔＡのＣＢＳＤを配置する。
＞ＰＰＡを保護するための新しい干渉クォータはＩＱＮ＝１２１＝−１００．８ｄＢｍである。
＞ＤＣ−Ａ＝０．５ｋｍであり、ＩＣ−＞Ａ（（１７ｄＢｍ−３０ｄＢ），０．５ｋｍ）＝−１０７．４９ｄＢｍである。
＞ＯｐＣのＣＢＳＤはＰＣ＝１７ｄＢｍで送信できる。
＞ＯｐＢのＣＢＳＤは干渉クォータを超え、１４．８ｄＢの差であるＰＢ＝３２．２２ｄＢｍに電力を削減しなければならない。
＞ステップ４
＞ＯｐＣはＣＴ１の建物内に６０個のＣａｔＡのＣＢＳＤを配置し、ｃｈ３のＧＡＡ許可を要求する。
＞クォータ規則は、８０ｄＢｍ／Ｎから、８０ｄＢｍ／（２×ＮＰＡＬ）及び８０ｄＢｍ／（２×ＮＧＡＡ）に変更される。
＞ＯｐＡのＰＰＡを保護するための新しいＰＡＬクォータはＩＱＮ＿ＰＡＬ＝１２１＝−１０３．８ｄＢｍである。
＞ＯｐＣのＣＢＳＤはＰＣ＝１７ｄＢｍで送信を継続することができる。
＞ＯｐＢのＣＢＳＤは干渉クォータを超え、追加で３ｄＢの電力を削減してＰＢ＝２９．２２ｄＢｍにしなければならない、つまり、ステップ２おける差を１７．８ｄＢにしなければならない。
【００８０】
第２ユースケース（デュアルスロープＰＬ）
＞ステップ１
＞ＯｐＢはＣＴｎのｃｈ３において１つのＰＡＬ許可を有し、ＰＢ＝４７ｄＢｍ  ＥＩＲＰで送信する。
＞ステップ２
＞ＯｐＡはＣＴ２にマイクロセルを配置し、ＰＰＡを定義する。
＞ＰＰＡを保護するための干渉クォータはＩＱＮ＝１＝−８０ｄＢｍである。
＞ＤＢ−Ａ＝１０ｋｍ
＞ＯｐＢからＯｐＡのＰＰＡへの干渉はＩＢ−＞Ａ（４７ｄＢｍ，１０ｋｍ）＝−９１．４６ｄＢｍである。
＞ＯｐＢのＣＢＳＤは４７ｄＢｍで送信し続けることができる。
＞ステップ３
＞ＯｐＣは、ＣＴ３の２つの建物内に、ＣＢＳＤあたりＰＣ＝１７ｄＢｍ  ＥＩＲＰの１２０個のＣａｔＡのＣＢＳＤを配置する。
＞ＰＰＡを保護するための新しい干渉クォータはＩＱＮ＝１２１＝−１００．８ｄＢｍである。
＞ＤＣ−Ａ＝０．５ｋｍであり、ＩＣ−＞Ａ（（１７ｄＢｍ−３０ｄＢ），０．５ｋｍ）＝−１０７．４９ｄＢｍである。
＞ＯｐＣのＣＢＳＤはＰＣ＝１７ｄＢｍで送信できる。
＞ＯｐＢのＣＢＳＤは干渉クォータを超え、９．３６ｄＢの差であるＰＢ＝３７．６４ｄＢｍに電力を削減しなければならない。
＞ステップ４
＞ＯｐＣはＣＴ１の建物内に６０個のＣａｔＡのＣＢＳＤを配置し、ｃｈ３のＧＡＡ許可を要求する。
＞クォータ規則は、８０ｄＢｍ／Ｎから、８０ｄＢｍ／（２×ＮＰＡＬ）及び８０ｄＢｍ／（２×ＮＧＡＡ）に変更される。
＞ＯｐＡのＰＰＡを保護するための新しいＰＡＬクォータはＩＱＮ＿ＰＡＬ＝１２１＝−１０３．８ｄＢｍである。
＞ＯｐＣのＣＢＳＤはＰＣ＝１７ｄＢｍで送信を継続することができる。
＞ＯｐＢのＣＢＳＤは干渉クォータを超え、追加で３ｄＢの電力を削減してＰＢ＝３４．６４ｄＢｍ、つまり、ステップ２における差を１２．３６ｄＢにしなければならない。
【００８１】
第３ユースケース（アーバンＰＬ）
＞ステップ１
＞ＯｐＢはＣＴｎのｃｈ３において１つのＰＡＬ許可を有し、ＰＢ＝４７ｄＢｍ  ＥＩＲＰで送信する。
＞ステップ２
＞ＯｐＡはＣＴ２にマイクロセルを配置し、ＰＰＡを定義する。
＞ＰＰＡを保護するための干渉クォータはＩＱＮ＝１＝−８０ｄＢｍである。
＞ＤＢ−Ａ＝１ｋｍ
＞ＯｐＢからＯｐＡのＰＰＡへの干渉はＩＢ−＞Ａ（４７ｄＢｍ，１ｋｍ）＝−１０２．５７ｄＢｍである。
＞ＯｐＢのＣＢＳＤは４７ｄＢｍで送信し続けることができる。
＞ステップ３
＞ＯｐＣは、ＣＴ３の２つの建物内に、ＣＢＳＤあたりＰＣ＝１７ｄＢｍ  ＥＩＲＰの１２０個のＣａｔＡのＣＢＳＤを配置する。
＞ＰＰＡを保護するための新しい干渉クォータはＩＱＮ＝１２１＝−１００．８ｄＢｍである。
＞ＤＣ−Ａ＝０．５ｋｍであり、ＩＣ−＞Ａ（（１７ｄＢｍ−３０ｄＢ），０．５ｋｍ）＝−１４７．５４ｄＢｍである。
＞ＯｐＣのＣＢＳＤはＰＣ＝１７ｄＢｍで送信できる。
＞ＯｐＢのＣＢＳＤは４７ｄＢｍで送信し続けることができる。
＞ステップ４
＞ＯｐＣはＣＴ１の建物内に６０個のＣａｔＡのＣＢＳＤを配置し、ｃｈ３のＧＡＡ許可を要求する。
＞クォータ規則は、８０ｄＢｍ／Ｎから、８０ｄＢｍ／（２×ＮＰＡＬ）及び８０ｄＢｍ／（２×ＮＧＡＡ）に変更される。
＞ＯｐＡのＰＰＡを保護するための新しいＰＡＬクォータはＩＱＮ＿ＰＡＬ＝１２１＝−１０３．８ｄＢｍである。
＞ＯｐＣのＣＢＳＤはＰＣ＝１７ｄＢｍで送信を継続することができる。
＞ＯｐＢのＣＢＳＤは干渉クォータを超え、１．２７ｄＢの差であるＰＢ＝４５．７３ｄＢｍに電力を削減しなければならない。
【００８２】
第４ユースケース（ＩＴＭエリアモード、５０％信頼レベル）
＞ステップ１
＞ＯｐＢはＣＴｎのｃｈ３において１つのＰＡＬ許可を有し、ＰＢ＝４７ｄＢｍ  ＥＩＲＰで送信する。
＞ステップ２
＞ＯｐＡはＣＴ２にマイクロセルを配置し、ＰＰＡを定義する。
＞ＰＰＡを保護するための干渉クォータはＩＱＮ＝１＝−８０ｄＢｍである。
＞ＤＢ−Ａ＝８ｋｍ
＞ＯｐＢからＯｐＡのＰＰＡへの干渉はＩＢ−＞Ａ（４７ｄＢｍ，８ｋｍ）＝−９８．４０ｄＢｍである。
＞ＯｐＢのＣＢＳＤは４７ｄＢｍで送信し続けることができる。
＞ステップ３
＞ＯｐＣは、ＣＴ３の２つの建物内に、ＣＢＳＤあたりＰＣ＝１７ｄＢｍ  ＥＩＲＰの１２０個のＣａｔＡのＣＢＳＤを配置する。
＞ＰＰＡを保護するための新しい干渉クォータはＩＱＮ＝１２１＝−１００．８ｄＢｍである。
＞ＤＣ−Ａ＝０．５ｋｍであり、ＩＣ−＞Ａ（（１７ｄＢｍ−３０ｄＢ），０．５ｋｍ）＝−１０７．４９ｄＢｍである。
＞ＯｐＣのＣＢＳＤはＰＣ＝１７ｄＢｍで送信できる。
＞ＯｐＢのＣＢＳＤは干渉クォータを超え、２．４３ｄＢの差であるＰＢ＝４４．５７ｄＢｍに電力を削減しなければならない。
＞ステップ４
＞ＯｐＣはＣＴ１の建物内に６０個のＣａｔＡのＣＢＳＤを配置し、ｃｈ３のＧＡＡ許可を要求する。
＞クォータ規則は、−８０ｄＢｍ／Ｎから、−８０ｄＢｍ／（２×ＮＰＡＬ）及び−８０ｄＢｍ／（２×ＮＧＡＡ）に変更される。
＞ＯｐＡのＰＰＡを保護するための新しいＰＡＬクォータはＩＱＮ＿ＰＡＬ＝１２１＝−１０３．８ｄＢｍである。
＞ＯｐＣのＣＢＳＤはＰＣ＝１７ｄＢｍで送信を継続することができる。
＞ＯｐＢのＣＢＳＤは干渉クォータを超え、追加で３ｄＢの電力を削減してＰＢ＝４１．５６ｄＢｍ、つまり、ステップ２における差を５．４４ｄＢにしなければならない。
【００８３】
一実施形態において、屋内ＣＢＳＤの密集したクラスタを導入することにより、同じチャネル内で離れて（例えば、キロメートル）動作する屋外ＣＢＳＤの初期干渉クォータを大幅に削減することができる。従って、幾つかの実施形態において、屋外ＣＢＳＤの電力の低下を回避するために、"残された"干渉クォータ再配布のアルゴリズムが不可欠であり得る。従って、幾つかの実施形態では、そのようなアルゴリズムは明確に指定されるべきである（ＳＡＳプライベートアルゴリズムではない）。
【００８４】
干渉クォータの初期分配の一実施形態は、制御ノード１００（例えば、ＳＡＳ）が、近接するＣＢＳＤのクラスタを識別し、ＣＢＳＤの数ではなくクラスタの数で干渉を分割することである。例えば、本開示の実施形態は、―８０ｄＢｍ／Ｎの代わりに、―８０ｄＢｍ／Ｎｃｌｕｓｔｅｒｓを使用し、幾つかの実施形態においては、クラスタクォータをクラスタ内のＣＢＳＤで均等に分割し得る。上記の説明例では、第１ＧＡＡのＣＢＳＤがＰＡＬチャネルに導入されると、ＰＡＬのＣＢＳＤの干渉クォータが３ｄＢ減少し、これは比較的重要な量である。
【００８５】
従って、ＧＡＡとＰＡＬの両方が存在する場合の干渉クォータの初期分配に関する本開示の有利な一実施形態は次のとおりである。
Ｎｃ＿ＧＡＡ≦Ｎｃ＿ＰＡＬの場合、共通のＩＱ＝−８０ｄＢｍ／（Ｎｃ＿ＧＡＡ＋Ｎｃ＿ＰＡＬ）を使用する。
Ｎｃ＿ＧＡＡ＞Ｎｃ＿ＰＡＬの場合、異なるＩＱＰＡＬ＝−８０ｄＢｍ／（２×Ｎｃ＿ＰＡＬ）及びＩＱＧＡＡ＝−８０ｄＢｍ／（２×Ｎｃ＿ＧＡＡ）を使用する。
【００８６】
図８は、複数のネットワークノード間で初期干渉クォータ（ＩＱ）を分配するための制御ノード１００における例示的な方法４００を示すフローチャートである。一実施形態において、方法は、（例えば、制御ノード１００のプロセッサ１３０により）互いに所定の距離内に位置する複数のネットワークノードからのグループとして定義される、ネットワークノードクラスタの数を識別することと（ブロックＳ４１０）、クラスタクォータを提供するために初期ＩＱをネットワークノードクラスタの数に分割することと（ブロックＳ４２０）、識別された各ネットワークノードクラスタ内の各ネットワークノード間でクラスタクォータを分配することと（ブロックＳ４３０）、を含む。
【００８７】
一実施形態において、初期ＩＱは、ＰＡＬチャネルとＧＡＡチャネルに分配される。
【００８８】
一実施形態において、この方法は、ＧＡＡチャネルの数がＰＡＬチャネルの数以下である場合、ＧＡＡチャネル及びＰＡＬチャネルに共通のＩＱを使用することをさらに含む。ＧＡＡチャネルの数がＰＡＬチャネルの数より大きい場合、第１ＩＱはＰＡＬチャネル（ＩＱＰＡＬ）に使用され、第２ＩＱはＧＡＡチャネル（ＩＱＧＡＡ）に使用され、ＩＱＰＡＬはＩＱＧＡＡとは異なる。
【００８９】
干渉クォータの割り当てに関連する本開示の一態様を詳細に説明したが、本開示の第２態様を、例えば、デバイスが他のデバイスやネットワークノードに与えるインパクトに従って、共有スペクトラム内のリソースを許可することに関連して詳細に説明する。
【００９０】
この第２態様の実施形態によれば、全体利益へのデバイスの寄与を評価するために、ユーザ値（ＵＶ）関数が使用され得る。ＵＶ関数は、特定の場所にあるエンドユーザデバイスにＣＢＳＤデバイスから提供される値を表現するユーティリティ関数と見なすことができる。
【００９１】
ＵＶ関数の一例は、エンドユーザデバイスに提供されるスループットである。ユーザスループットはＳＩＮＲに正比例し、ＳＩＮＲ値は制御ノード１００（ＳＡＳ等）が推定できるものであるため、本開示の一実施形態の提案は、ＵＶ関数としてＳＩＮＲを使用することである。同じチャネルを共有しているデバイスの場合、ＳＩＮＲは、デバイスがチャネルで送信する様にスケジュールされている実際の時間に基づき得る。
【００９２】
一実施形態によると、別の可能なユーティリティ関数は、他のネットワークノード及び／又はデバイスから見た１つのネットワークノードによって生成される干渉量の尺度である信号漏洩対雑音比（ＳＬＮＲ）を使用することである。ＳＬＮＲアプローチの別のバリエーションは、他のＣＢＳＤへの干渉の最大閾値を定義し、最大干渉リーク条件の対象となるＣＢＳＤでＳＩＮＲを最大化することである。幾つかの実施形態において、ＳＬＮＲアプローチは、固定無線アクセス及びバックホール等、より多様なユースケースを受け入れることができる。
【００９３】
共有スペクトラム内のネットワークノード間の相対的な干渉を評価する方法
図９は、ＥＵＤ評価グリッド（ＥＧ）５００を示している。例えば、ＥＧ５００に対してＮ個の評価ポイントが定義される。ＥＧ５００は、地理的エリアを表す地図と見做すことができ、評価点（又はピクセル）に対応する異なる位置点に分割され得る。例えば、ＣＢＳＤのカバレッジエリアは評価グリッドの一部であり得る。
【００９４】
一実施形態において、評価グリッド内の各"ピクセル"についてユーザ値（ＵＶ）が計算される。ＣＢＳＤｋによって提供されるＥＵＤがＥＧピクセルｎにあると仮定すると、ＵＶ（ｋ、ｎ）として表記されるその場所のユーザ値は、ユーザがＣＢＳＤｋから受け取る"サービス"値を反映する。一般に、ＵＶはサービングＣＢＳＤから受信した信号レベルに依存し、同じチャネルで動作する他のＣＢＳＤ及びノイズレベルからの干渉によってＵＶが悪影響を受ける可能性がある。幾つかの実施形態において、ＵＶ（ｋ、ｎ）の値は、例えば修正されたＨａｔａ（ｈｔｔｐｓ：／／ｅｎ．ｗｉｋｉｐｅｄｉａ．ｏｒｇ／ｗｉｋｉ／Ｈａｔａ＿Ｍｏｄｅｌを参照）、或いは、Ｌｏｎｇｌｅｙ  Ｒｉｃｅ（ｈｔｔｐｓ：／／ｅｎ．ｗｉｋｉｐｅｄｉａ．ｏｒｇ／ｗｉｋｉ／Ｌｏｎｇｌｅｙ％Ｅ２％８０％９３Ｒｉｃｅ＿ｍｏｄｅｌ）等の標準的な伝播モデルからの伝播損失の計算値や、直接チャネル測定によることができる。ＬＴＥにおいて、このような直接チャネル測定は、基準信号受信電力（ＲＳＲＰ）、基準信号受信品質（ＲＳＲＱ）、チャネル状態情報−参照信号（ＣＳＩ−ＲＳ）、及び基準信号−信号干渉対雑音比（ＲＳ−ＳＩＮＲ）測定が含まれ得る。幾つかの実施形態において、他の測定されたメトリックも使用され得る。
【００９５】
同じチャネルに新しいＣＢＳＤｘが導入されると、一般にＣＢＳＤｋのユーザに対して干渉が発生する。幾つかの実施形態において、制御ノード１００（例えば、ＳＡＳ）は、以下の様にユーザ値を計算する。
・ＣＢＳＤｘが導入される前：ＵＶｐｒｅ−ｘ（ｋ、ｎ）
・ＣＢＳＤｘが導入された後：ＵＶｐｏｓｔ−ｘ（ｋ、ｎ）
【００９６】
例えば、図９では、変数ＳｋはサービングＣＢＳＤｋからの信号を示し、ＩｘはＣＢＳＤｘからの干渉を示している。
【００９７】
ピクセルｎとサービングＣＢＳＤｋとの相対ユーザ値は、以下の式で与えられる。
ＲＵＶｘ（ｋ，ｎ）＝ＵＶｐｏｓｔ−ｘ（ｋ，ｎ）−ＵＶｐｒｅ−ｘ（ｋ，ｎ）
【００９８】
ＣＢＳＤｋが提供するＥＵＤの総てのピクセルにわたる平均的な相対ユーザ値は以下の式で与えられる。
ＡＲＵＶｘ（ｋ）＝Σｎ（ＵＶｐｏｓｔ−ｘ（ｋ，ｎ）−ＵＶｐｒｅ−ｘ（ｋ，ｎ））／Ｎ
【００９９】
特定のケースの１つは、ＣＢＳＤｘによって導入された平均ユーザ値であり、
ＡＲＵＶｘ（ｘ）＝Σｎ（ＵＶｐｏｓｔ−ｘ（ｘ，ｎ））／Ｎ
で与えられ、ここでＵＶｐｏｓｔ−ｘ（ｘ，ｎ）は、それが閾値γより大きい場合に使用される。
【０１００】
ＣＢＳＤｘの許可を解放する前に、制御ノード１００（ＳＡＳ等）は、Σｋ（ＡＲＵＶｘ（ｋ））≧Ｔｈであることを確実にし、ここで、Ｔｈは、許可を与えるために使用される全体閾値であり、例として、Ｔｈ＝０である。
【０１０１】
一実施形態において、同じネットワークに属するＣＢＳＤに対して特別な処理を実行することができる。例えば、図１０は、ＣＢＳＤａとＣＢＳＤｂが同じネットワークに属していることを示している。ＣＢＳＤａとＣＢＳＤｂが同じネットワークに属している場合、ユーザ値はＣＢＳＤａ又はＣＢＳＤｂのいずれかによって提供される最大値、つまり、ＵＶ（ａ，ｎ）＝ＵＶ（ｂ，ｎ）＝ｍａｘ｛ＵＶ´（ａ，ｎ），ＵＶ´（ｂ，ｎ）｝であり、ここでＵＶ´は計算された生のユーザ値で、ＵＶは、認可の適格性を判断するために制御ノード１００（ＳＡＳ等）により使用される値である。
【０１０２】
幾つかの実施形態において、ネットワーク配置は、独立したＣＢＳＤ配置と比較して、ユーザ価値を増加させ得る。
【０１０３】
一実施形態において、ＣＢＳＤｘの許可を承認するための評価グリッドは、ＣＢＳＤｘカバレッジエリア内にある総てのピクセルをカバーする様に選択され得る。ＣＢＳＤのカバレッジエリアは、信号レベルが特定の信号閾値ＳＴｈ以上であるＣＢＳＤ周辺のエリアと見做され得る。例えば、ＳＴｈの可能な値の１つは−９６ｄＢｍ／１０ＭＨｚであり、これは、ＰＡＬ保護領域（ＰＰＡ）の輪郭の定義と一致する。ＰＰＡは、干渉が所定の閾値を下回らなければならない領域を表す。次に、制御ノード１００（例えば、ＳＡＳ）は、評価のために選択されたピクセルに閾値ＳＴＨ以上の影響を与える可能性がある総てのＣＢＳＤｋを決定することができる。これらのＣＢＳＤは、例えば図１１に示す様に、影響を受けるＣＢＳＤプールの一部と見做すことができる。
【０１０４】
図１２は、本開示の第２の態様による、ネットワークノードにリソースを許可するための、例えばＳＡＳ１等の制御ノード１００における方法の幾つかの実施形態を示すフローチャートである。
【０１０５】
この態様による方法５００の幾つかの実施形態は、以下のステップを含む。
ステップ５１０：ネットワークノードから、共有スペクトラム内のリソースの許可の要求を受信する。
ステップ５２０：要求に応答して、ネットワークノードへのリソースの許可に基づき干渉値を判定する。
ステップ５３０：干渉値が閾値を満たしていると判定することに応答して、ネットワークノードにリソースを許可する。
【０１０６】
ネットワークノードは、例えばＣＢＳＤであり得る。一実施形態において、干渉値は、本明細書で上述した様に、ユーザ値関数及び／又は評価グリッドを介して決定される。例えば、制御ノード１００（例えば、ＳＡＳ）は、サービスが付与される前及びＣＢＳＤがサービスを付与された後、ＣＢＳＤのカバレージエリアで、平均相対ユーザ値を計算することができる。平均相対ユーザ値が閾値（Ｔｈ）以上である場合、つまり干渉値が少なくともこの閾値を満たしている場合、ＣＢＳＤにはサービス又はリソースが許可される、つまり、データの送信が許可される。言い換えると、ＣＢＳＤを導入することのプラスの効果がマイナスの影響を上回る場合にのみ、ＣＢＳＤグラントが承認される。
【０１０７】
場所（ピクセル等）のユーザ値は、ユーザがＣＢＳＤから受け取る"サービス"値を反映していることに注意されたい。
【０１０８】
制御ノード１００（例えば、ＳＡＳ）が干渉値に基づいてＣＢＳＤからの許可要求を受け入れ、又は、拒否し、制御ノード１００は、システム内のセル及び／又はｅＮＢ（又はネットワークノード）のクラスタ又はグループを作成又は設計する。ネットワークノードのクラスタは、例えば、相対的なユーザ値を使用して、決定された干渉値に基づいて作成される。
【０１０９】
それらのクラスタが作成されると、本開示の実施形態は、制御ノード１００が、例えばクラスタ間及び／又はクラスタ内のノード間の干渉を緩和することも可能にする。
【０１１０】
共有スペクトラム内のネットワークノード間の相対的な干渉を評価する方法
一般的に、制御ノード１００（例えば、ＳＡＳ）は、ティア２及び３による既存ユーザへの干渉、ティア２デバイス間の干渉、及び、ティア３からティア２への干渉を管理する（図１を参照）。本開示の実施形態は、クラスタ間及びクラスタ内の干渉を緩和することも提供する。
【０１１１】
共有スペクトラム配置で同じ又は異なる無線アクセス技術（ＲＡＴ）のネットワークノード又はネットワークノードのグループに見られる干渉レベルを緩和するために、ネットワークノードは、干渉調整グループ（ＩＣＧ）に分割され、以下の干渉軽減又は低減方法の１つ以上が、グループ内（つまり、干渉調整グループ内）又はグループ間（つまり、干渉調整グループ間）に適用され得る。ＩＣＧ内及びＩＣＧ間の概念が図１３に示される。
【０１１２】
本開示の実施形態による干渉レベルを緩和するための異なる方法のいくつかを以下に示す。
・干渉アライメント（ＩＡ）：ＩＡは、第１グループのネットワークノード又はネットワークノードのクラスタ内の１つ以上のネットワークノードが協調して、第１グループ又はクラスタ内のネットワークノードによって潜在的に干渉が与えられるネットワークノードによって直交化され得る１つ以上の次元に該当する様に、信号を送信する方法である。（Ｖ．Ｃａｄａｍｂｅ  ａｎｄ  Ｓ．Ｊａｆａｒ，"Ｉｎｔｅｒｆｅｒｅｎｃｅ  Ａｌｉｇｎｍｅｎｔ  ａｎｄ  Ｄｅｇｒｅｅｓ  ｏｆ  Ｆｒｅｅｄｏｍ  ｏｆ  ｔｈｅ  Ｋ−Ｕｓｅｒ  Ｉｎｔｅｒｆｅｒｅｎｃｅ  Ｃｈａｎｎｅｌ"，ＩＥＥＥ  Ｔｒａｎｓａｃｔｉｏｎｓ  ｏｎ  Ｉｎｆｏｒｍａｔｉｏｎ  Ｔｈｅｏｒｙ，Ｖｏｌ５４，Ｎｏ．８，Ａｕｇｕｓｔ  ２００８，ｐｐ３４２５−３４４）、及び、（Ｋ．Ｇｏｍａｄａｍ，Ｖ．Ｃａｄａｍｂｅ  ａｎｄ  Ｓ．Ｊａｆａｒ，"Ａ  Ｄｉｓｔｒｉｂｕｔｅｄ  Ｎｕｍｅｒｉｃａｌ  Ａｐｐｒｏａｃｈ  ｔｏ  Ｉｎｔｅｒｆｅｒｅｎｃｅ  Ａｌｉｇｎｍｅｎｔ  ａｎｄ  Ａｐｐｌｉｃａｔｉｏｎｓ  ｔｏ  Ｗｉｒｅｌｅｓｓ  Ｉｎｔｅｒｆｅｒｅｎｃｅ  Ｎｅｔｗｏｒｋｓ"，ＩＥＥＥ  Ｔｒａｎｓａｃｔｉｏｎｓ  ｏｎ  Ｉｎｆｏｒｍａｔｉｏｎ  Ｔｈｅｏｒｙ，Ｖｏｌ５７，Ｎｏ．６，Ｊｕｎｅ  ２０１１，ｐｐ３３０９−３３２２）を参照のこと。
・アクティブアンテナシステム（ＡＡＳ）：各ＣＢＳＤでのＡＡＳ実装は、干渉調整グループ（ＩＣＧ）内又は干渉調整グループ間の干渉を最小限に抑えるために、幾つかの基準に従って最適化され得る。最適化アプローチには、干渉除去合成（ＩＲＣ）又は最大ＳＩＮＲアルゴリズム等の既知のアプローチが含まれる。（Ｄ．Ｓｃｈｍｉｄｔ，ｅｔ  ａｌ．，"Ｃｏｍｐａｒｉｓｏｎ  ｏｆ  Ｄｉｓｔｒｉｂｕｔｅｄ  Ｂｅａｍｆｏｒｍｉｎｇ  Ａｌｇｏｒｉｔｈｍｓ  ｆｏｒ  ＭＩＭＯ  Ｉｎｔｅｒｆｅｒｅｎｃｅ  Ｎｅｔｗｏｒｋｓ"，  "ＩＥＥＥ  Ｔｒａｎｓａｃｔｉｏｎｓ  ｏｎ  Ｓｉｇｎａｌ  Ｐｒｏｃｅｓｓｉｎｇ，  Ｖｏｌ  ６１，  Ｎｏ  １３，  Ｊｕｌｙ  ２０１３）を参照のこと。
・ＩＡプラスＡＡＳ：ＡＡＳとＩＡは、ＩＣＧ内又はＩＣＧ間の両方、又は以下に示す組み合わせに適用され得る。
・ＩＣＧ内及びＩＣＧ間の干渉を最小化する様に最適化されたＡＡＳ：この方法において、ＡＡＳプリコーディングビームウェイトの第１セットＷｋ，ｉ１は、ＩＣＧ"ｉ"のｋ番目のＣＢＳＤに対するＩＣＧ内干渉（つまり、ＩＣＧ内のＣＢＳＤ間の干渉）を最小化する様に最適化される。異なるＩＣＧ内のＣＢＳＤ間のプリコーディングウェイトのこの第１セットの最適化は、独立して実行できることに注意されたい。次に、プリコーディングウェイトの第２セットＷ２ｉが、ＩＣＧ間の干渉を最小化する様に最適化されたＣＢＳＤからの送信に適用される。従って、ｉ番目のＩＣＧのｋ番目のＣＢＳＤのプリコーディングの重みは、Ｗ２ｉ×Ｗｋ，ｉ１になる。Ｎ個のアンテナを持つＣＢＳＤの場合、ベクトルＷ２ｉ及びＷｋ，ｉ１のスパンは"Ｎ"である。
・ＩＣＧ内及びＩＣＧ間の干渉を最小化する様に最適化されたＩＡ：この方法において、ＩＡは各ＩＣＧ内のＣＢＳＤに独立して適用され、ＩＣＧ内の干渉を最小化する。続いて、ＩＣＧ間の干渉を最小化するため、ＩＣＧ間にＩＡの第２ティアが適用される。第２ティアＩＡの実装では、ＩＡの観点から、各ＩＣＧは単一の仮想ネットワークノード又はデバイスとして扱われる。
・ＩＣＧ内に最適化されたＩＡ及びＩＣＧ間に最適化されたＡＡＳ：この方法において、ＩＡは各ＩＣＧ内のＣＢＳＤに独立して適用され、ＩＣＧ内の干渉を最小化する。次に、ＩＣＧ間の干渉を最小化する様に最適化されたＩＣＧ"Ｉ"のＣＤＳＤにプリコーディングウェイトＷ２ｉが適用される。
・ＩＣＧ内に最適化されたＡＡＳ及びＩＣＧ間に最適化されたＩＡ：この方法において、ＡＡＳプリコーディングビームウェイトの第１セットＷｋ，ｉ１は、ＩＣＧ"ｉ"のｋ番目のＣＢＳＤに対するＩＣＧ内干渉（つまり、ＩＣＧ内のＣＢＳＤ間の干渉）を最小化する様に最適化される。異なるＩＣＧ内のＣＢＳＤ間のプリコーディングウェイトのこの第１セットの最適化は、独立して実行できることに注意されたい。続いて、ＩＣＧ間の干渉を最小化するため、ＩＣＧ間にＩＡの第２ティアが適用される。第２ティアＩＡの実装では、ＩＡの観点から、各ＩＣＧは単一の仮想ネットワークノード又はデバイスとして扱われる。
【０１１３】
共有スペクトラム内のネットワークノード間の干渉を緩和する、ＳＡＳアシスト方法
上記の軽減方法は、ＩＣＧ内及びＩＣＧ間の調整が、マスタネットワークノードによって集中方式で、或いは、１つ以上のＣＢＳＤによる分散方式で、所定のＲＡＴテクノロジー内で管理されることを前提としている。干渉を緩和する追加の方法は、ＳＡＳ等の制御ノード１００に、ＩＣＧ内のデバイス間又はデバイスグループ（ＩＣＧ等）間のセッションベースのインタフェースを開始させて、セル間干渉調整（ＩＣＩＣ）又は同じ若しくは異なるＲＡＴネットワークのＩＣＧグループ間のＩＣＧグループ調整を要求することを含む。インタフェースを介して交換される情報は、ＩＣＧ内のデバイス間及びＩＣＧ間の干渉の表示、又は、特定のリソースブロックの負荷と時間平均ベースのトラフィック情報である。干渉の表示は、ＩＡ、ＡＡＳ、及び、ＩＡプラスＡＡＳ等の上記の方法に従って決定される。幾つかの実施形態における意図は、インタフェースが比較的低い帯域幅であり、集約及び交換可能な停止イベントのロギングにより増強することである。このアプローチの変形は、上記の様に複数のＩＣＧから情報を受信する複数の制御ノード１００（例えばＳＡＳ）と、ＩＣＩＣの最適化を促進するためにＳＡＳ間で情報を交換することを含む。
【０１１４】
言い換えると、制御ノード１００がネットワークノードのクラスタ間及びネットワークノードのクラスタ内の干渉を緩和する場合、制御ノード１００は、干渉アライメント（ＩＡ）、アクティブアンテナシステム（ＡＡＳ）及び／又はＩＡプラスＡＡＳを使用して干渉緩和パラメータを計算することができる。干渉軽減パラメータは、例えば、アンテナのプリコーディング重みとビームステアリングを生成することを含み得る。
【０１１５】
制御ノード１００が、クラスタ内のネットワークノード間又はネットワークノードのクラスタ間でセッションベースのインタフェースを開始すると、制御ノード１００は、クラスタ内のネットワークノード間又はネットワークノードのクラスタ間で干渉の表示を受け取る。干渉の表示は、例えば、クラスタの１つ以上のネットワークノードによって計算された干渉調整（ＩＡ）によって決定される干渉緩和パラメータ、クラスタのネットワークノードそれぞれのアクティブアンテナシステム（ＡＡＳ）によって決定される干渉緩和パラメータ、及び／又は、ＩＡプラスＡＡＳによって決定される干渉軽減パラメータを含む。
【０１１６】
別の実施形態によると、保護された既存ユーザ又はＰＰＡの所定の近隣内で、ＣＢＳＤは、その保護された既存ユーザ又はＰＰＡのために、利用可能な総干渉マージンの１／Ｎの最小割り当てを反映する許可の電力制限を受け取ることができる（ネットワークＣＢＳＤによるマージンの使用後、割り当てに考慮されない）。ここでの"Ｎ"の決定は、この配分を考慮するために、例えば以下の表１に示す資格を満たすＣＢＳＤ許可の総数と見做し得る。
【０１１７】
【表１】
0006796724.tif 000002
【０１１８】
"ＧＡＡ及びＰＡＬ個別"と表記された表１の行について、ＰＡＬ及びＧＡＡの両方のタイプの適格なＣＢＳＤ許可がある場合、ＳＡＳによってマージン割当が実行され、ＧＡＡ許可を有するＣＢＳＤは、既存ユーザが利用できる干渉マージンの合計の１／（２×Ｎ）の最小値の割り当てを反映する、その許可の電力制限を受け取る様にし、ここで、Ｎは適格なＧＡＡ許可の数であり、ＰＡＬ許可を有するＣＢＳＤは、既存ユーザが利用できる干渉マージンの合計の１／（２×Ｎ）の最小の割り当てを反映する、その許可の電力制限を受け取り、ここで、Ｎは付近のコチャネル（ＣＯ−ＣＨＡＮＮＥＬ）ＰＡＬ許可を有するＣＢＳＤの数である。どちらの場合も、他のタイプの適格なＣＢＳＤが存在しない場合、ＳＡＳは１／Ｎ配分を使用し、ここで、Ｎは単に適格なＣＢＳＤ許可の総数である。
【０１１９】
本開示の一態様によると、複数のネットワークノード間で干渉クォータ（ＩＱ）を分配するための制御ノード１００における方法が提供される。方法は、互いに所定の距離内に位置する複数のネットワークノードからのグループとして定義されるネットワークノードクラスタの数を識別することと（ブロックＳ４１０）、クラスタクォータを提供するためにＩＱをネットワークノードクラスタの数に分割することと（ブロックＳ４２０）、識別された各ネットワークノードクラスタ内の各ネットワークノード間でクラスタクォータを分配することと（Ｓ４３０）、を含む。
【０１２０】
幾つかの実施形態においてこの態様によると、ＩＱは、優先アクセスライセンス（ＰＡＬ）チャネル及び一般認可アクセス（ＧＡＡ）チャネルのうちの少なくとも１つの間で分配される。幾つかの実施形態において、この方法は、ＰＡＬチャネルに第１ＩＱを使用し、ＧＡＡチャネルに第２ＩＱを使用することを含む。幾つかの実施形態において、この方法は、少なくとも第１条件が満たされた場合、ＧＡＡチャネル及びＰＡＬチャネルに共通のＩＱを使用し、少なくとも第２条件が満たされた場合、ＰＡＬチャネルに第１ＩＱを使用し、ＧＡＡチャネルに第１ＩＱとは異なる第２ＩＱを使用することと、を含む。幾つかの実施形態において、方法は、少なくとも１つのＧＡＡチャネルが少なくとも１つのＰＡＬチャネルに導入されたと判定した結果として、ＧＡＡチャネルの数がＰＡＬチャネルの数よりも大きい場合、ＰＡＬチャネルに第１ＩＱを使用し、ＧＡＡチャネルに第２ＩＱを使用することを含む。幾つかの実施形態において、方法は、ＧＡＡチャネルの数がＰＡＬチャネルの数以下である場合、ＧＡＡチャネル及びＰＡＬチャネルに共通のＩＱを使用し、ＧＡＡチャネルの数がＰＡＬチャネルの数より大きい場合、ＰＡＬチャネルに第１ＩＱを使用し、ＧＡＡチャネルに第１ＩＱとは異なる第２ＩＱを使用することと、を含む。幾つかの実施形態において、制御ノード１００は共存マネージャである。幾つかの実施形態において、制御ノード１００はスペクトラムアクセスシステム（ＳＡＳ）であり、ネットワークノードは市民ブロードバンド無線サービスデバイス（ＣＢＳＤ）である。幾つかの実施形態において、方法は、ネットワークノードクラスタそれぞれについて、ネットワークノードクォータを提供するために、クラスタクォータをネットワークノードクラスタ内のネットワークノードの数に分割することを含む。幾つかの実施形態において、識別された各ネットワークノードクラスタ内の各ネットワークノード間でクラスタクォータを分配することは、対応するネットワークノードクラスタ内のネットワークノードにクラスタクォータを等しく分配することを含む。
【０１２１】
本開示の別の態様によると、複数のネットワークノード間で干渉クォータ（ＩＱ）を分配する用に構成された制御ノード１００が提供される。制御ノード１００は、互いに所定の距離内に位置する複数のネットワークノードからのグループとして定義されるネットワークノードクラスタの数を識別し、クラスタクォータを提供するためにＩＱをネットワークノードクラスタの数に分割し、識別された各ネットワークノードクラスタ内の各ネットワークノード間でクラスタクォータを分配する様に構成された処理回路１１０を含む。
【０１２２】
幾つかの実施形態においてこの態様によると、処理回路１１０は、優先アクセスライセンス（ＰＡＬ）チャネル及び一般認可アクセス（ＧＡＡ）チャネルのうちの少なくとも１つの間でＩＱを分配する様に構成される。幾つかの実施形態において、処理回路１１０は、ＰＡＬチャネルに第１ＩＱを使用し、ＧＡＡチャネルに第２ＩＱを使用する様に構成される。幾つかの実施形態において、処理回路１１０は、少なくとも第１条件が満たされた場合、ＧＡＡチャネル及びＰＡＬチャネルに共通のＩＱを使用し、少なくとも第２条件が満たされた場合、ＰＡＬチャネルに第１ＩＱを使用し、ＧＡＡチャネルに第１ＩＱとは異なる第２ＩＱを使用する様に構成される。幾つかの実施形態において、処理回路１１０は、少なくとも１つのＧＡＡチャネルが少なくとも１つのＰＡＬチャネルに導入されたと判定した結果として、ＧＡＡチャネルの数がＰＡＬチャネルの数よりも大きい場合、ＰＡＬチャネルに第１ＩＱを使用し、ＧＡＡチャネルに第２ＩＱを使用する様に構成される。幾つかの実施形態において、処理回路１１０は、ＧＡＡチャネルの数がＰＡＬチャネルの数以下である場合、ＧＡＡチャネル及びＰＡＬチャネルに共通のＩＱを使用し、ＧＡＡチャネルの数がＰＡＬチャネルの数より大きい場合、ＰＡＬチャネルに第１ＩＱを使用し、ＧＡＡチャネルに第１ＩＱとは異なる第２ＩＱを使用する様に構成される。幾つかの実施形態において、制御ノード１００は共存マネージャである。幾つかの実施形態において、制御ノード１００はスペクトラムアクセスシステム（ＳＡＳ）であり、ネットワークノードは市民ブロードバンド無線サービスデバイス（ＣＢＳＤ）である。幾つかの実施形態において、処理回路１１０は、ネットワークノードクラスタそれぞれについて、ネットワークノードクォータを提供するために、クラスタクォータをネットワークノードクラスタ内のネットワークノードの数に分割する様に構成される。幾つかの実施形態において、識別された各ネットワークノードクラスタ内の各ネットワークノード間でクラスタクォータを分配することは、対応するネットワークノードクラスタ内のネットワークノードにクラスタクォータを等しく分配することを含む。
【０１２３】
本開示のさらに別の態様によると、複数のネットワークノード間で干渉クォータ（ＩＱ）を分配する用に構成された制御ノード１００が提供される。制御ノード１００は、互いに所定の距離内に位置する複数のネットワークノードからのグループとして定義されるネットワークノードクラスタの数を識別する様に構成されたクラスタ識別モジュール２１０と、クラスタクォータを提供するために初期ＩＱをネットワークノードクラスタの数に分割する様に構成されたクラスタクウォータ分配モジュール２２０と、識別された各ネットワークノードクラスタ内の各ネットワークノード間でクラスタクォータを分配する様に構成されたネットワークインタフェースモジュール２３０と、を含む。
【０１２４】
本明細書で説明されるステップ又は特徴は、特定の実施形態の単なる例示である。総ての実施形態が、開示された総てのステップ又は特徴を組み込むことも、ステップが記述される、或いは、図示される正確な順序で実行されることも必要ではない。さらに、幾つかの実施形態において、本明細書に開示される固有の１つ以上のステップを含む、本明細書に図示又は説明されないステップ又は特徴を含み得る。
【０１２５】
本明細書に記載されている２つ以上の実施形態は、任意の方法で互いに組み合わせることができる。
【０１２６】
本開示の範囲を逸脱することなく、ここで述べたシステム及び装置に対する修正、追加、省略が行われ得る。システム及び装置のコンポーネントは、統合又は分離され得る。
【０１２７】
さらに、システム及び装置の動作は、より多くの、より少ない、或いは、他のコンポーネントで実行され得る。さらに、システム及び装置の動作は、ソフトウェア、ハードウェア、及び／又は、他のロジックを含む任意の適切な論理回路を使用して実現され得る。本開示で使用する"各"は、セットの各要素、又は、セットのサブセットの各要素を参照している。
【０１２８】
本開示の範囲を逸脱することなく、ここで述べた方法に対する修正、追加、省略が行われ得る。方法は、より多くの、より少ない、或いは、他のステップを含み得る。さらに、ステップは、任意の適切な順序で実行され得る。一般的に、請求の範囲で使用される総ての用語は、本明細書において明示的に定義しない限り、本技術分野の通常の意味に従い解釈される。要素、装置、部品、手段、ステップ等への言及は、明示的に述べられない限り、オープン的に、要素、装置、部品、手段、ステップ等の少なくとも１つを参照しているものと解釈される。本開示の任意の方法のステップは、明示的に述べられない限り、開示されているものと正確に同じ順序で実行される必要はない。
【０１２９】
本開示について、ある実施形態により記述したが、当業者には、実施形態の変更及び組み合わせが明らかである。よって、実施形態の上述した説明は、本開示を拘束しない。以下の特許請求の範囲で定義される本開示の精神及び範囲から逸脱することなく、他の変更、置換、変形が可能である。
【０１３０】
この開示で使用されている略語の一部は次の通りである。
１ｘＲＴＴ：ＣＤＭＡ２０００  １ｘ無線送信技術
ＡＡＳ：アクティブアンテナシステム
ＡＢＳ：略ブランクのサブフレーム
ＡＲＱ：自動再送要求
ＡＲＵＶ：平均相対ユーザ値
ＡＳＡ：許可共有アクセス
ＡＷＧＮ：加法性ホワイトガウスノイズ
ＢＣＣＨ：ブロードキャスト制御チャネル
ＢＣＨ：ブロードキャストチャネル
ＣＡ：キャリアグリゲーション
ＣＢＲＳ：市民ブロードバンド無線サービス
ＣＢＳＤ：市民ブロードバンド無線サービスデバイス
ＣＣ：キャリコンポーネント
ＣＣＣＨ  ＳＤＵ：共通制御チャネル  ＳＤＵ
ＣＤＭＡ：符号分割多重アクセス
ＣＧＩ：セルグローバル識別子
ＣＰ：サイクリックプレフィクス
ＣＰＩＣＨ：共通パイロットチャネル
ＣＰＩＣＨ  Ｅｃ／Ｎｏ：チップあたりのＣＰＩＣＨ受信エネルギを帯域内の電力密度で割った値
ＣＱＩ：チャネル品質情報
ＣＲＣ：サイクリックリダンダンシーチェック
Ｃ−ＲＮＴＩ：セルＲＮＴＩ
ＣＳＩ：チャネル状態情報
ＤＣＣＨ：専用制御チャネル
ＤＬ：ダウンリンク
ＤＲＸ：不連続受信
ＤＴＸ：不連続送信
ＤＴＣＨ：専用トラフィックチャネル
ＤＵＴ：テスト下のデバイス
Ｅ−ＣＩＤ：拡張セルＩＤ（位置決め方法）
ＥＣＧＩ：発展ＣＧＩ
ｅＮＢ：Ｅ−ＵＴＲＡＮ  ノードＢ
ｅＰＤＣＣＨ：拡張物理下りリンク制御チャネル
ＥＳＣ：環境検知能力
ＥＵＤ：エンドユーザデバイス
Ｅ−ＳＭＬＣ：発展型サービング移動ロケーションセンタ
Ｅ−ＵＴＲＡ：発展型ＵＴＲＡ
Ｅ−ＵＴＲＡＮ：発展型ＵＴＲＡＮ
ＦＤＤ：周波数分割複信
ＧＡＡ：一般認可アクセス
ＧＥＲＡＮ：ＧＳＭ  ＥＤＧＥ無線アクセスネットワーク
ＧＳＭ：移動通信汎用システム
ｇＮＢ：ＮＲの基地局
ＨＡＲＱ：ハイブリッド自動再送要求
ＨＯ：ハンドオーバ
ＨＳＰＡ：高速パケットアクセス
ＨＲＰＤ：高レートパケットデータ
ＩＡ：干渉アライメント
ＩＣＩＣ：セル間干渉調整
ＩＣＧ：干渉調整グループ
ＬＰＰ：ＬＴＥポジショニングプロトコル
ＬＳＡ：ライセンスド共有アクセス
ＬＴＥ：ロングタームエボリューション
ＭＡＣ：媒体アクセス制御
ＭＢＭＳ：マルチメディアブロードキャストマルチキャストサービス
ＭＢＳＦＮ：マルチメディアブロードキャストマルチキャスト単一周波数ネットワーク
ＭＢＳＦＮ  ＡＢＳ：ＭＢＳＦＮオールモーストブランクサブフレーム
ＭＤＴ：ドライブテストの最小化
ＭＩＢ：マスタ情報ブロック
ＭＭＥ：モビリティ管理エンティティ
ＭＳＣ：移動交換センタ
ＮＰＤＣＣＨ：狭帯域物理下りリンク制御チャネル
ＮＲ：ニューレディオ
ＯＣＮＧ：ＯＦＤＭＡチャネル雑音生成器
ＯＦＤＭ：直交周波数分割多重
ＯＦＤＭＡ：直交周波数分割多重アクセス
ＯＳＳ：運用サポートシステム
ＯＴＤＯＡ：観察される到着時間差
Ｏ＆Ｍ：運用管理
ＰＡＬ：優先アクセスラインセス
ＰＢＣＨ：物理ブロードキャストチャネル
Ｐ−ＣＣＰＣＨ：プライマリ共通制御物理チャネル
ＰＣｅｌｌ：プライマリセル
ＰＣＦＩＣＨ：物理制御フォーマットインジケータチャネル
ＰＤＣＣＨ：物理下りリンク制御チャネル
ＰＤＣＨ：物理データチャネル
ＰＤＳＣＨ：物理下りリンク共用チャネル
ＰＧＷ：パケットゲートウェイ
ＰＨＩＣＨ：物理ハイブリッドＡＲＱインジケータチャネル
ＰＬＭＮ：公衆地上移動ネットワーク
ＰＭＩ：プリコーダマトリクスインジケータ
ＰＰＡ：ＰＡＬ保護エリア
ＰＲＡＣＨ：物理ランダムアクセスチャネル
ＰＲＳ：位置決め基準信号
ＰＳＳ：プライマリ同期信号
ＰＵＣＣＨ：物理上りリンク制御チャネル
ＰＵＳＣＨ：物理上りリンク共用チャネル
ＲＢ：リソースブロック
ＲＬＭ：無線リンク管理
ＲＲＣ：無線リソース制御
ＲＳＣＰ：受信信号符号電力
ＲＳＲＰ：基準信号受信電力
ＲＳＲＱ：基準信号受信品質
ＲＳＳＩ：受信信号強度インジケータ
ＲＳＴＤ：基準信号時間差
ＱＡＭ：直交振幅変調
ＲＡＣＨ：ランダムアクセスチャネル
ＲＡＲ：ランダムアクセス応答
ＲＡＴ：無線アクセス技術
ＲＮＣ：無線ネットワークコントローラ
ＲＮＴＩ：無線ネットワーク一時識別子
ＲＲＣ：無線リソース制御
ＲＲＭ：無線リソース管理
ＲＵＶ：相対ユーザ値
ＳＡＲＵＶ：平均相対ユーザ値の合計
ＳＡＳ：スペクトラムアクセスシステム 
ＳＣＨ：同期チャネル
ＳＣｅｌｌ：セカンダリセル
ＳＤＵ：サービスデータユニット
ＳＦＮ：システムフレーム番号
ＳＧＷ：サービングゲートウェイ
ＳＩ：システム情報
ＳＩＢ：システム情報ブロック
ＳＬＮＲ：信号漏洩対雑音比
ＳＮＲ：信号対雑音比
ＳＯＮ：自己最適化ネットワーク
ＳＳ：同期信号
ＳＳＳ：セカンダリ同期信号
ＴＤＤ：時分割複信
ＴＲＰ：送信及び受信ポイント
ＴＴＩ：送信時間間隔
ＵＥ：ユーザ装置
ＵＬ：上りリンク
ＵＭＴＳ：汎用移動通信システム
ＵＴＲＡ：汎用地上無線アクセス
ＵＴＲＡＮ：汎用地上無線アクセスネットワーク
ＵＶ：ユーザ値関数
ＷＣＤＭＡ：ワイドＣＤＭＡ
ＷＡＬＮ：無線ローカルエリアネットワーク
ＺＣ：Ｚａｄｏｆｆ−Ｃｈｕ
【０１３１】
当業者には理解される様に、本明細書に記載の概念は、方法、データ処理システム、及び／又は、コンピュータプログラム製品として具現化することができる。従って、本明細書で説明される概念は、完全にハードウェアの実施形態、完全にソフトウェアの実施形態、又は、本明細書で一般に"回路"又は"モジュール"として参照しているソフトウェア及びハードウェアの態様を組み合わせた実施形態の形を取り得る。さらに、本開示は、コンピュータによって実行され得る、媒体内に具現化されたコンピュータプログラムコードを有する有形のコンピュータ使用可能記憶媒体上のコンピュータプログラム製品の形をとることができる。ハードディスク、ＣＤ−ＲＯＭ、電子記憶デバイス、光記憶デバイス、又は、磁気記憶デバイスを含む任意の適切な有形のコンピュータ可読記憶媒体を利用することができる。
【０１３２】
幾つかの実施形態は、方法、システム及びコンピュータプログラム製品のフローチャート図及び／又はブロック図を参照して本明細書で説明される。フローチャート図及び／又はブロック図の各ブロック、ならびにフローチャート図及び／又はブロック図内のブロックの組み合わせは、コンピュータプログラム命令によって実施できることが理解されよう。これらのコンピュータプログラム命令は、汎用コンピュータ、専用コンピュータ、又は他のプログラム可能なデータ処理装置のプロセッサに提供されて、コンピュータ又は他のプログラム可能なデータ処理装置のプロセッサを介して命令を実行すし、フローチャート及び／又はブロック図のブロックで特定される機能／動作を実現する手段を作るマシンを生成することができる。
【０１３３】
これらのコンピュータプログラム命令は、また、コンピュータ可読メモリ又は可読媒体に格納され、コンピュータ又は他のプログラム可能なデータ処理装置に特定の方法で機能する様に指示することができ、コンピュータ可読メモリに格納された命令は、フローチャート及び／又はブロック図において特定された機能／動作を実施する命令手段を含む製造品を作り出す。
【０１３４】
また、コンピュータプログラム命令は、コンピュータ又は他のプログラム可能なデータ処理装置にロードされて、コンピュータ又は他のプログラム可能な装置上で実行される一連の動作ステップによって、コンピュータ上で実行される命令が実行され、コンピュータ又は他のプログラム可能な装置が実行する命令は、フローチャート及び／又はブロック図で特定された機能／動作を実施するためのステップを提供する。ブロックに示されている機能／動作は、動作説明図に示されている順序とは異なる順序で行われてもよいことを理解されたい。例えば、関連する機能／動作に応じて、連続して示されている２つのブロックが実際には実質的に同時に実行されてもよく、あるいはブロックが逆の順序で実行されてもよい。図のいくつかは、通信の主方向を示すために通信経路上に矢印を含むが、通信は、描かれた矢印と反対方向に起こり得ることを理解されたい。
【０１３５】
本明細書に記載の概念の動作を実行するためのコンピュータプログラムコードは、Ｊａｖａ（登録商標）又はＣ＋＋等のオブジェクト指向プログラミング言語で書くことができる。しかしながら、本開示の動作を実行するためのコンピュータプログラムコードは、"Ｃ"プログラミング言語等の従来の手続き型プログラミング言語で書かれてもよい。プログラムコードは、完全にユーザのコンピュータ上、部分的にユーザのコンピュータ上、単独のソフトウェアパッケージとして、部分的にユーザのコンピュータ上、そして部分的にリモートコンピュータ上で、又は全体的にリモートコンピュータ上で実行することができる。後者のシナリオでは、リモートコンピュータは、ローカルエリアネットワーク（ＬＡＮ）又はワイドエリアネットワーク（ＷＡＮ）を介してユーザのコンピュータに接続することができ、又は（例えば、インターネットサービスプロバイダの使用によるインターネットを介して）接続することができる。
【０１３６】
上記の説明及び図面に関連して、多くの異なる実施形態が本明細書に開示されている。これらの実施形態のあらゆる組み合わせ及び部分的な組み合わせを文字通りに説明及び例示することは、過度に反復的で分かりにくくなることが理解されよう。従って、総ての実施形態は任意の方法及び／又は組み合わせで組み合わせることができ、図面を含む本明細書は、本明細書に記載の実施形態の総ての組み合わせ及びサブコンビネーションならびに方法及びプロセスの完全な書面による説明を構成すると解釈され、そしてそれらを作成し使用することの可能性があり、そのような組み合わせ又はサブコンビネーションに対する主張を裏付けるものとする。
【０１３７】
本明細書に記載の実施形態は、本明細書の上記に特に示され記載されたものに限定されないことが当業者によって理解されるであろう。さらに、そうでないことが上記で言及されていない限り、添付の図面の総てが一定の縮尺ではないことに留意されたい。添付の特許請求の範囲から逸脱することなく、上記の教示に照らして様々な修正形態及び変形形態が可能である。
【図１】
0006796724.tif 000003
【図２】
0006796724.tif 000004
【図３】
0006796724.tif 000005
【図４】
0006796724.tif 000006
【図５】
0006796724.tif 000007
【図６】
0006796724.tif 000008
【図７】
0006796724.tif 000009
【図８】
0006796724.tif 000010
【図９】
0006796724.tif 000011
【図１０】
0006796724.tif 000012
【図１１】
0006796724.tif 000013
【図１２】
0006796724.tif 000014
【図１３】
0006796724.tif 000015